(57)【特許請求の範囲】
【請求項１】
洗濯機であって、
衣類及び水が投入される洗濯槽と、
前記水の一部を前記洗濯槽から分離し、分離した前記水の一部を保持する保持部と、
液体クロマトグラフィを用いて、前記保持部が保持している前記水の一部に含まれる所定物質の検出を行い、検出結果を示す情報を出力する検出部と、
前記洗濯機による洗濯のための洗剤の前記洗濯槽への投入、又は、利用者に対し前記洗濯槽に前記洗剤の投入の指示を、前記保持部が前記水の一部を分離した後に行う洗剤投入部とを備える
洗濯機。
【請求項２】
前記洗濯槽は、前記洗剤投入部による前記洗剤が投入された後又は前記洗剤投入部による前記指示に基づき前記利用者により前記洗剤が投入された後に、前記洗剤を用いて前記衣類の洗濯を行い、
前記検出部は、前記洗濯槽が前記洗濯を行っている間に前記検出を行う
請求項１に記載の洗濯機。
【請求項３】
前記洗濯槽は、投入された前記衣類及び前記水を撹拌し、
前記保持部は、前記洗濯槽が前記衣類及び前記水を撹拌した後であって、前記洗剤投入部が前記洗剤の投入又は前記洗剤の投入の指示を行う前に、前記水の一部を前記洗濯槽から分離する
請求項１又は２に記載の洗濯機。
【請求項４】
前記洗濯機は、さらに、
前記洗濯槽と、前記洗剤投入部と、前記保持部と、前記検出部とのそれぞれを制御する制御部を備え、
前記制御部は、
前記保持部が前記洗濯槽の水の一部を分離する前に前記洗濯槽に対し、撹拌を行わせ、
前記洗濯槽が撹拌を行った後に、前記保持部に対して前記水の一部を前記洗濯槽から分離させ、
前記保持部が前記洗濯槽から前記水の一部の分離を完了した後に、前記洗濯槽に対し再度撹拌を開始させ、前記洗剤投入部に対し前記洗剤の投入を行わせる又は前記洗剤投入部に対し前記利用者へ前記洗剤の投入を指示する
請求項３に記載の洗濯機。
【請求項５】
前記制御部は、前記検出部が前記検出を行った後、前記検出結果に基づいて前記洗濯槽による洗濯の洗濯コースを制御する
請求項４に記載の洗濯機。
【請求項６】
前記洗濯コースとは、前記洗剤投入部による前記洗剤の投入量、前記洗濯槽による前記洗濯の時間、及び、前記洗濯槽によるすすぎの時間のうち少なくとも１つを設定し、前記洗濯槽により前記衣類の洗濯を行うことである
請求項５に記載の洗濯機。
【請求項７】
前記制御部は、
前記検出部が前記検出を行った後、前記検出部が出力した検出結果を基に、情報集計部に情報の集計を行わせ、かつ、前記情報集計部に集計させた前記情報を表示部に表示させる
請求項４に記載の洗濯機。
【請求項８】
前記洗濯機は、さらに、
前記検出結果を基に情報を集計する外部装置と情報のやり取りを行う送受信部と、
前記外部装置から受信した情報を表示する表示部とを備え、
前記制御部は、前記検出部が前記検出を行った後、前記送受信部に前記検出結果と前記洗濯機を特定する機器特定情報とを前記外部装置へ送信させ、
前記外部装置から前記検出結果を基に集計した情報を前記送受信部が受信した場合、受信した前記集計した情報を前記表示部に表示させる
請求項４に記載の洗濯機。
【請求項９】
前記洗濯機は、さらに、
前記検出結果を基に情報を集計する外部装置と情報のやり取りを行う送受信部と、
前記洗濯槽に投入された衣類の個人情報を特定する個人特定部とを備え、
前記制御部は、
前記検出部が前記検出を行った後、前記送受信部に前記個人情報と、前記検出結果と、前記洗濯機を特定する機器特定情報とを前記外部装置に送信させ、
前記外部装置に、前記個人情報と関連づけられた外部の表示端末に対して、前記検出結果を基に集計させた情報を送信させる
請求項４に記載の洗濯機。
【請求項１０】
前記検出部は、前記洗濯を行うごとに前記検出を行うことで、複数の前記検出結果を出力し、
前記洗濯機は、さらに、
前記検出部が前記情報を出力するたびに、前記検出結果と、前記検出結果が出力された時刻とを対応付けて書き込み可能な記録媒体に蓄積させ、
前記記録媒体に蓄積された複数の前記検出結果のそれぞれを、前記検出結果が出力された時刻に対応付けて表示部に表示させる
請求項１〜４のいずれか１項に記載の洗濯機。
【請求項１１】
前記検出部は、大気中に浮遊していた物質であって、前記衣類に付着した物質を、前記所定物質として、前記検出を行う
請求項１〜１０のいずれか１項に記載の洗濯機。
【請求項１２】
前記検出部は、花粉に含まれる抗原を、前記所定物質として、前記検出を行う
請求項１〜１０のいずれか１項に記載の洗濯機。
【請求項１３】
前記検出部は、前記衣類を着用していた人体から放出され前記衣類に付着した物質を、前記所定物質として、前記検出を行う
請求項１〜１０のいずれか１項に記載の洗濯機。
【請求項１４】
前記洗濯機は、さらに、
前記衣類を着用していた個人を特定する個人特定部を備え、
前記洗濯機は、
前記個人特定部が特定した前記個人を示す個人ＩＤと関連付けて、前記検出結果を記録媒体に蓄積させ、
前記利用者により指定される個人ＩＤである指定個人ＩＤを受け付け、受け付けた前記指定個人ＩＤに関連付けられた前記検出結果を前記記録媒体から読み出し、読み出した前記検出結果のそれぞれを、前記検出結果が出力された時刻に対応付けて表示部に表示させる
請求項１０に記載の洗濯機。
【請求項１５】
前記表示部は、さらに、前記検出部が検出した前記所定物質の量の時間的推移に基づいて推定される、前記個人の体調の変化に応じた情報を表示する
請求項１４に記載の洗濯機。
【請求項１６】
前記洗濯機は、さらに、
前記洗濯機の筺体の一部に配置される窓を設け、
前記検出部を構成する部品であり、交換が必要である部品を前記窓を通じて交換する
請求項１〜１５のいずれか１項に記載の洗濯機。
【請求項１７】
前記保持部は、
前記水の一部を保持するためのタンクと、
前記洗濯槽から前記水の一部を前記タンクに引き入れるための水路と、
前記水路に設置されるバルブを備え、
前記バルブを開くことで前記洗濯槽から前記水の一部を前記タンクに保持し、
前記バルブを閉じることで前記水の一部を前記洗濯槽から分離する
請求項１〜１６のいずれか１項に記載の洗濯機。
【請求項１８】
衣類及び水が投入される洗濯槽を含む洗濯機を備える付着物質検出システムにおける付着物質検出方法であって、
前記水の一部を前記洗濯槽から分離し、分離した前記水の一部を保持する保持ステップと、
液体クロマトグラフィを用いて、前記保持ステップで保持している前記水の一部に含まれる所定物質の検出を行い、検出結果を示す情報を出力する検出ステップと、
前記洗濯機による洗濯のための洗剤の前記洗濯槽への投入、又は、利用者に対する前記投入の指示を、前記保持ステップで前記水の一部を分離した後に行う洗剤投入ステップとを含む
付着物質検出方法。
【請求項１９】
前記検出ステップは、前記検出を行うたびに、前記検出結果を示す情報を出力し、
前記付着物質検出方法は、さらに、
前記検出ステップで前記検出結果を示す情報を出力するたびに、前記検出結果と、前記検出結果が出力された時刻とを対応付けて書き込み可能な記録媒体に蓄積する情報蓄積ステップと、
前記情報蓄積ステップで蓄積された複数の前記検出結果のそれぞれを、前記検出結果が出力された時刻に対応付けて表示する表示ステップとを含む
請求項１８に記載の付着物質検出方法。
【請求項２０】
前記付着物質検出方法は、さらに、
前記衣類を着用していた人体を個人ごとに特定する個人特定ステップを含み、
前記情報蓄積ステップでは、さらに、前記個人特定ステップで特定した前記個人を示す個人ＩＤと対応付けて、前記検出結果を前記記録媒体に蓄積し、
前記表示ステップでは、利用者により指定される個人ＩＤである指定個人ＩＤを受け付け、受け付けた前記指定個人ＩＤに対応付けられた前記検出結果を、前記記録媒体から読み出し、読み出した前記検出結果のそれぞれを、前記検出結果が出力された時刻に対応付けて表示する
請求項１９に記載の付着物質検出方法。
【請求項２１】
前記表示ステップでは、さらに、前記検出ステップで検出した前記所定物質の量の時間的推移に基づいて推定される、前記個人の体調の変化に応じた情報を表示する
請求項２０に記載の付着物質検出方法。
【発明の詳細な説明】
【技術分野】
【０００１】
本開示は、洗濯機、及び、付着物質検出方法に関する。
【背景技術】
【０００２】
昨今、ウェアラブルデバイスを人体に装着し、脈拍又は血圧等の生態情報を取得し、インターネット上のサーバに蓄積することで、日々の健康管理に役立てようとする機運が高まっている。しかし、脈拍又は血圧の情報は、自覚症状のない疾病などのより詳細な体調の変化を推定する情報としては不十分である。
【０００３】
一方、半導体センサの進化により、人体から発生するガス又は分泌物などの、体調を推定するのに重要な物質が、比較的容易に測定できるようになってきた。
【０００４】
このような背景から、人体から発する物質をウェアラブルデバイスで測定しようというアイデアが考案されている。特許文献１は、生体ガスセンサを搭載したヘッドフォン又はイヤフォンのようなデバイスをユーザに装着させ、ユーザの耳から発生する生体ガスを検出する技術を開示している。また、特許文献２は、主に臍から発生する生体ガスを検出するためのデバイスの構成を開示している。
【先行技術文献】
【特許文献】
【０００５】
【特許文献１】国際公開第２０１２／１２１２６０号
【特許文献２】特開２０１０−１４８６９２号公報
【特許文献３】特開昭５４−７１８７０号公報
【特許文献４】特開２００６−３４３１３４号公報
【発明の概要】
【発明が解決しようとする課題】
【０００６】
特許文献１および特許文献２に開示されるシステムは、人体に装着したデバイスにより人体から発生する生体ガスを検出し、脈拍又は血圧からでは検出できない体調の変化を捉えることで、体調管理に寄与することができる。
【０００７】
しかし、何らかのデバイスを装着したまま日常生活を送ることは利用者にとって煩わしいものである。また、この煩わしさがあるので、この体調管理方法は、効率が良い方法であるとはいえない。
【０００８】
そこで、本開示は、人体又は環境から発生する物質を効率よく検出する洗濯機を提供する。
【課題を解決するための手段】
【０００９】
本開示の一態様に係る洗濯機は、衣類及び水が投入される洗濯槽と、前記水の一部を前記洗濯槽から分離し、分離した前記水の一部を保持する保持部と、前記保持部が保持している前記水の一部に含まれる所定物質の検出を行い、検出結果を示す情報を出力する検出部と、前記洗濯機による洗濯のための洗剤の前記洗濯槽への投入、又は、利用者に対し前記洗濯槽に前記洗剤の投入の指示を、前記保持部が前記水の一部を分離した後に行う洗剤投入部とを備える。
【００１０】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【００１１】
本開示の洗濯機は、人体又は環境から発生する物質を効率よく検出することができる。
【図面の簡単な説明】
【００１２】
【図１】図１は、実施の形態１に係る洗濯機の構成を示すブロック図である。
【図２】図２は、実施の形態１に係る付着物質検出方法を示すシーケンス図である。
【図３】図３は、実施の形態１に係る洗濯機の構成の一例を示す外観図である。
【図４】図４の（Ａ）〜（Ｃ）は、実施の形態２に係る付着物質検出システムの全体構成を示すブロック図である。
【図５】図５は、実施の形態２に係る付着物質検出システムの詳細構成を示すブロック図である。
【図６】図６は、実施の形態２に係る付着物質検出方法のシーケンス図である。
【図７】図７は、実施の形態２に係る付着物質検出方法の成分情報の一例を示す説明図である。
【図８】図８は、実施の形態２に係る付着物質検出方法での表示画像の一例を示す説明図である。
【図９】図９は、実施の形態３に係る付着物質検出システムの詳細構成を示すブロック図である。
【図１０Ａ】図１０Ａは、実施の形態３に係る付着物質検出システムを構成する洗濯機の概観図である。
【図１０Ｂ】図１０Ｂは、実施の形態３に係る付着物質検出システムを構成する洗濯機の表示画像の一例を示す説明図である。
【図１１】図１１は、実施の形態３に係る付着物質検出方法のシーケンス図である。
【図１２】図１２は、人体から発生する物質と、当該物質から推測される疾病との関係の一例を示す説明図である。
【図１３】図１３は、実施の形態３に係る付着物質検出方法の成分情報の一例を示す図である。
【図１４】図１４は、実施の形態３に係る付着物質検出方法の表示部の一例を示す図である。
【図１５】図１５は、サービスの類型１（自社データセンタ型）を示す図である。
【図１６】図１６は、サービスの類型２（ＩａａＳ利用型）を示す図である。
【図１７】図１７は、サービスの類型３（ＰａａＳ利用型）を示す図である。
【図１８】図１８は、サービスの類型４（ＳａａＳ利用型）を示す図である。
【図１９】図１９は、従来の洗濯機の動作を示すシーケンス図である。
【発明を実施するための形態】
【００１３】
（本発明の基礎となった知見）
特許文献１および特許文献２に開示されるシステムは、人体に装着したデバイスにより人体から発生する生体ガスを検出し、脈拍又は血圧からでは検出できない体調の変化を捉えることで、体調管理に寄与することができる。
【００１４】
しかし、何らかのデバイスを装着したまま日常生活を送ることは利用者にとって煩わしいものである。また、この煩わしさがあるので、この体調管理方法は、効率が良い方法であるとはいえない。
【００１５】
つまり、特許文献１および２に開示されるシステムでは、生体ガスセンサなどの特別なデバイスを人体に装着する必要があり、利用者にとってわずらわしいという問題がある。
【００１６】
発明者らは、生体ガス又は人体からの分泌物（以降、所定物質ともいう）を、人体に装着するデバイスではなく、人体が着用していた衣類から検出するという着想を得た。
【００１７】
さらに、通常、着用後の衣類は洗濯をすることになるので、洗濯時に所定物質の検出を行うようにすれば、通常通りの生活を行うだけで体調管理及び健康増進に貢献するという効果を奏するとの着想を得た。
【００１８】
洗濯時に、洗濯槽の水溶液の状態をセンシングすることは、特許文献３に記載されている。特許文献３は、光の透過率を測定することで洗濯槽の水の汚れ具合を検出し、汚れ具合に応じて、洗剤の投入量を調節する技術を開示している。
【００１９】
図１９は、従来の洗濯機の動作を示すシーケンス図であり、より具体的には、特許文献３に係る洗濯機の動作を示すシーケンス図である。
【００２０】
洗濯が開始されると、洗濯部１９０１において、洗濯槽への注水が行われる（Ｓ１９０３）。その後、検出部１９０２にて、洗濯槽の水の汚れ度合いの検出が行われる（Ｓ１９０４）。その後、洗濯部１９０１にて、汚れ度合いに応じた量の洗剤が投入される（Ｓ１９０５）。洗剤が投入された洗濯槽により洗濯が行われる（Ｓ１９０６）。
【００２１】
上記の特許文献３に開示される構成では、汚れ度合いの検出（Ｓ１９０４）が完了してから、洗剤の投入および実際の洗濯が行われる。すなわち、実際の洗濯の開始は、汚れ度合いの検出が完了するまで、待たされる。しかし、特許文献３の検出では、単に洗濯槽の水の汚れ度合いを、光の透過率によって測定することを想定しているので、検出時間は数秒で済み、洗濯開始までの待ち時間が、問題になることはない。
【００２２】
一方、本開示は、上記分泌物のような、体調や疾病の傾向を推定するための微量の物質の検出を目的としている。微量な物質の検出には、液体クロマトグラフィといった手法が知られている。この手法は、カラム内の物質と測定したい物質との吸着度の強さに応じて、カラムを通って排出される物質に時間差が生じることを利用した検出方法である。すなわち、液体クロマトグラフィによる詳細な分析を行うためには、大きな時間差を設けることが必要であり、原理的に、検出に所定の時間がかかる。典型的には、数分〜十数分の時間を必要とする。洗濯開始までに、数分〜十数分の待ち時間を要することは、大きな問題となる。
【００２３】
また、特許文献４に記載されている花粉の抗原の検出方法では、花粉の内容物を抽出するため、約５分間、超音波により水溶液を振動させる。すなわち、５分以上計測に時間がかかることを示しており、洗濯開始までの待ち時間が大きな問題となる。
【００２４】
本開示は、人体又は環境から発生する物質を効率よく検出する洗濯機を提供する。
【００２５】
本開示の一態様に係る洗濯機は、衣類及び水が投入される洗濯槽と、前記水の一部を前記洗濯槽から分離し、分離した前記水の一部を保持する保持部と、前記保持部が保持している前記水の一部に含まれる所定物質の検出を行い、検出結果を示す情報を出力する検出部と、前記洗濯機による洗濯のための洗剤の前記洗濯槽への投入、又は、利用者に対し前記洗濯槽に前記洗剤の投入の指示を、前記保持部が前記水の一部を分離した後に行う洗剤投入部とを備える。
【００２６】
これによれば、洗濯機は、洗濯槽から分離した、物質が溶けた水を対象として所定物質の検出を行う。所定物質の検出には、例えば液体クロマトグラフィのような検出方法が用いられるが、所定物質の検出に所定の時間を要する。仮に洗濯槽から水を分離しないとすれば、所定物質の検出結果が出た後でなければ洗濯のための洗剤を投入できないこととなる。本開示の一態様に係る洗濯機は、上記のように検出対象を含む水を洗濯槽から分離するので、検出結果が出るのを待つことなく、洗濯槽に洗濯のための洗剤を投入することができる。よって、洗濯機は、人体又は環境から発生する所定物質を効率よく検出することができる。
【００２７】
別な言い方をすれば、本開示の一態様に係る洗濯機は、洗剤を投入する前の洗濯槽の水溶液を一時的に保存した後、保存した水溶液を対象に、所定物質の検出を行う。さらに、検出を行っている間に、洗濯槽に洗剤を投入し、実際の洗濯を行う。このことで、時間がかかる検出を行っている間に洗濯を進めることができ、洗濯開始前の待ち時間がなくなるという格別の効果を奏する。
【００２８】
また、利用者が一切の特別なデバイスを装着することなく、通常とまったく同じ日常生活をおくる中で、洗濯機は、人体から発生する物質、又は、その他環境中の人体に影響を与える物質を所定物質として検出することも可能となる。これにより、洗濯機は、利用者の体調管理に寄与することができる。
【００２９】
例えば、前記洗濯槽は、前記洗剤投入部による前記洗剤が投入された後又は前記洗剤投入部による前記指示に基づき前記利用者により前記洗剤が投入された後に、前記洗剤を用いて前記衣類の洗濯を行い、前記検出部は、前記洗濯槽が前記洗濯を行っている間に前記検出を行う。
【００３０】
これによれば、洗濯機は、衣類の洗濯を行っている最中に、当該衣類に付着していた所定物質の検出を行う。これにより、衣類の洗濯と並行して、所定物質の検出を行うことができ、所定物質の検出だけのための時間を設ける必要がない。よって、洗濯機は、人体又は環境から発生する物質を効率よく検出することができる。
【００３１】
例えば、前記洗濯槽は、投入された前記衣類及び前記水を撹拌し、前記保持部は、前記洗濯槽が前記衣類及び前記水を撹拌した後であって、前記洗剤投入部が前記洗剤の投入又は前記洗剤の投入の指示を行う前に、前記水の一部を前記洗濯槽から分離する。
【００３２】
これによれば、洗濯機は、衣類に付着していた物質を積極的に水に溶かし、物質が溶けた水を分離する。そして、分離した水を対象として所定物質の検出を行う。よって、洗濯機は、より精度よく、人体又は環境から発生する物質を検出することができる。
【００３３】
例えば、前記洗濯機は、さらに、前記洗濯槽と、前記洗剤投入部と、前記保持部と、前記検出部とのそれぞれを制御する制御部を備え、前記制御部は、前記保持部が前記洗濯槽の水の一部を分離する前に、前記洗濯槽に対し、撹拌を行わせ、前記洗濯槽が撹拌を行った後に、前記保持部に対して前記水の一部を前記洗濯槽から分離させ、前記保持部が前記洗濯槽から前記水の一部の分離を完了した後に、前記洗濯槽に対し再度撹拌を開始させ、前記洗剤投入部に対し前記洗剤の投入を行わせ又は前記洗剤投入部に対し前記利用者へ前記洗剤の投入を指示する。
【００３４】
これによれば、洗濯機は、具体的に、洗濯槽、洗剤投入部、保持部及び検出部を制御することで、上記と同様の効果を奏する。
【００３５】
例えば、前記制御部は、前記検出部が前記検出を行った後、前記検出結果に基づいて前記洗濯槽による洗濯の洗濯コースを制御する。
【００３６】
これによれば、洗濯機は、所定物質の検出結果に基づいて、洗濯に関する設定をより適切なものに変更する。これにより、洗濯機は、衣類に付着していた所定物質を、よりよく洗浄することができる。
【００３７】
例えば、前記洗濯コースとは、前記洗剤投入部による前記洗剤の投入量、前記洗濯槽による前記洗濯の時間、及び、前記洗濯槽によるすすぎの時間のうち少なくとも１つを設定し、前記洗濯槽により前記衣類の洗濯を行うことである。
【００３８】
これによれば、洗濯機は、所定物質の検出結果に基づいて、洗濯に関する設定をより適切かつ具体的なものに変更する。これにより、洗濯機は、衣類に付着していた所定物質を、よりよく洗浄することができる。
【００３９】
例えば、前記洗濯機は、さらに、前記検出部が出力した検出結果を基に、情報を集計する情報集計部と、前記集計した情報を表示する表示部とを備え、前記制御部は、前記検出部が前記検出を行った後、前記情報集計部に前記情報の集計を行わせ、かつ、前記情報集計部に集計させた前記情報を前記表示部に表示させる。
【００４０】
例えば、前記洗濯機は、さらに、前記検出結果を基に情報を集計する外部装置と情報のやり取りを行う送受信部と、前記外部装置から受信した情報を表示する表示部とを備え、前記制御部は、前記検出部が前記検出を行った後、前記送受信部に前記検出結果と前記洗濯機を特定する機器特定情報とを前記外部装置へ送信させ、前記外部装置から前記検出結果を基に集計した情報を前記送受信部が受信した場合、受信した前記集計した情報を前記表示部に表示させる。
【００４１】
例えば、前記洗濯機は、さらに、前記検出結果を基に情報を集計する外部装置と情報のやり取りを行う送受信部と、前記洗濯槽に投入された衣類の個人情報を特定する個人特定部とを備え、前記制御部は、前記検出部が前記検出を行った後、前記送受信部に前記個人情報と、前記検出結果と、前記洗濯機を特定する機器特定情報とを前記外部装置に送信させ、前記外部装置に、前記個人情報と関連づけられた外部の表示端末に対して、前記検出結果を基に集計させた情報を送信させる。
【００４２】
これによれば、洗濯機は、検出部による検出結果を適切に表示部に表示し、利用者に提示することができる。
【００４３】
例えば、前記検出部は、前記洗濯を行うごとに前記検出を行うことで、複数の前記検出結果を出力し、前記洗濯機は、さらに、前記検出部が前記情報を出力するたびに、前記検出結果と、前記検出結果が出力された時刻とを対応付けて書き込み可能な記録媒体に蓄積する情報蓄積部と、前記記録媒体に蓄積された複数の前記検出結果のそれぞれを、前記検出結果が出力された時刻に対応付けて表示する表示部とを備える。
【００４４】
これによれば、洗濯機は、複数回の洗濯により得られる検出結果の時間的変化を表示する。利用者は、洗濯機による表示を閲覧することで、所定物質が時間的にどのように増減したかを知ることができる。これにより、利用者は、所定物質の時間的変化に対応した行動をとることができる。
【００４５】
例えば、前記検出部は、大気中に浮遊していた物質であって、前記衣類に付着した物質を、前記所定物質として、前記検出を行う。
【００４６】
これによれば、洗濯機は、具体的に大気中を浮遊していた物質を所定物質として検出する。利用者は、大気中を浮遊していた物質の検出結果を知ることができ、所定物質の増減に応じてマスク又は帽子などを身につける又ははずす等、検出結果に対応した行動をとることができる。
【００４７】
例えば、前記検出部は、花粉に含まれる抗原を、前記所定物質として、前記検出を行う。
【００４８】
これによれば、洗濯機は、具体的に花粉に含まれる抗原を所定物質として検出する。利用者は、花粉に含まれる抗原の検出結果を知ることができ、花粉に含まれる抗原の増減に応じてマスク又は帽子などを身につける等、検出結果に対応した行動をとることができる。
【００４９】
例えば、前記検出部は、前記衣類を着用していた人体から放出され前記衣類に付着した物質を、前記所定物質として、前記検出を行う。
【００５０】
これによれば、洗濯機は、具体的に人体から放出される物質を所定物質として検出する。利用者は、人体から放出される物質の検出結果を知ることができ、人体から放出される物質の増減に応じて食事又は運動等の健康管理を行う等、検出結果に対応した行動をとることができる。
【００５１】
例えば、前記洗濯機は、さらに、前記衣類を着用していた個人を特定する個人特定部を備え、前記情報蓄積部は、さらに、前記個人特定部が特定した前記個人を示す個人ＩＤと関連付けて、前記検出結果を前記記録媒体に蓄積し、前記表示部は、前記利用者により指定される個人ＩＤである指定個人ＩＤを受け付け、受け付けた前記指定個人ＩＤに関連付けられた前記検出結果を前記記録媒体から読み出し、読み出した前記検出結果のそれぞれを、前記検出結果が出力された時刻に対応付けて表示する。
【００５２】
これによれば、洗濯機は、指定される個人についての所定物質の検出結果の時間的変化を表示する。これにより、利用者は、より詳細に、指定される個人についての情報を知ることができる。なお、指定される個人は、利用者自身であってもよいし、別人であってもよい。
【００５３】
例えば、前記検出部は、前記表示部は、さらに、前記検出部が検出した前記所定物質の量の時間的推移に基づいて推定される、前記個人の体調の変化に応じた情報を表示する。
【００５４】
これによれば、洗濯機は、指定される個人についての検出結果の時間的変化に基づいて、当該個人の体調の変化を示し、例えば体調が悪化している場合には注意を示す情報を表示する。利用者は、この情報に基づいて食事又は運動等の健康管理のための行動をとることができる。
【００５５】
例えば、前記検出部は、液体クロマトグラフィを用いて前記検出を行う。
【００５６】
これによれば、洗濯機は、具体的に液体クロマトグラフィを用いて所定物質の検出を行う。よって、洗濯機は、より正確に所定物質の検出を行うことができる。
【００５７】
例えば、前記洗濯機は、さらに、前記洗濯機の筺体の一部に配置される窓を設け、前記検出部を構成する部品であり、交換が必要である部品を前記窓を通じて交換する。
【００５８】
これによれば、洗濯機において、当該窓を通じて所定物質の検出を行うための部品の交換がなされる。利用者は、洗濯機を分解するなど手間のかかる作業を行うことなく、より簡便に交換のための作業を行うことができる。
【００５９】
例えば、前記保持部は、前記水の一部を保持するためのタンクと、前記洗濯槽から前記水の一部を前記タンクに引き入れるための水路と、前記水路に設置されるバルブを備え、前記バルブを開くことで前記洗濯槽から前記水の一部を前記タンクに保持し、前記バルブを閉じることで前記水の一部を前記洗濯槽から分離する。
【００６０】
これによれば、洗濯機は、洗濯槽の水をタンクに引き入れ、その後、具体的にバルブを用いて洗濯槽の水とタンクの水とを分離することができる。よって、洗濯機は、より確実に、所定物質の検出対象となる水を洗濯槽から分離した上で、所定物質の検出を行うことができる。
【００６１】
また、本開示の一態様に係る付着物質検出方法は、衣類及び水が投入される洗濯槽を含む洗濯機を備える付着物質検出システムにおける付着物質検出方法であって、前記水の一部を前記洗濯槽から分離し、分離した前記水の一部を保持する保持ステップと、前記保持ステップで保持している前記水の一部に含まれる所定物質の検出を行い、検出結果を示す情報を出力する検出ステップと、前記洗濯機による洗濯のための洗剤の前記洗濯槽への投入、又は、利用者に対する前記投入の指示を、前記保持ステップで前記水の一部を分離した後に行う洗剤投入ステップとを含む。
【００６２】
これによれば、上記の洗濯機と同様の効果を奏する。
【００６３】
例えば、前記検出ステップは、前記検出を行うたびに前記検出結果を示す情報を出力し、前記付着物質検出方法は、さらに、前記検出ステップで前記検出結果を示す情報を出力するたびに、前記検出結果と、前記検出結果が出力された時刻とを対応付けて書き込み可能な記録媒体に蓄積する情報蓄積ステップと、前記情報蓄積ステップで蓄積された複数の前記検出結果のそれぞれを、前記検出結果が出力された時刻に対応付けて表示する表示ステップとを含む。
【００６４】
これによれば、上記の洗濯機と同様の効果を奏する。
【００６５】
例えば、前記付着物質検出方法は、さらに、前記衣類を着用していた人体を個人ごとに特定する個人特定ステップを含み、前記情報蓄積ステップでは、さらに、前記個人特定ステップで特定した前記個人を示す個人ＩＤと対応付けて、前記検出結果を前記記録媒体に蓄積し、前記表示ステップでは、利用者により指定される個人ＩＤである指定個人ＩＤを受け付け、受け付けた前記指定個人ＩＤに対応付けられた前記検出結果を、前記記録媒体から読み出し、読み出した前記検出結果のそれぞれを、検出結果が出力された時刻に対応付けて表示する。
【００６６】
これによれば、上記の洗濯機と同様の効果を奏する。
【００６７】
例えば、前記表示ステップでは、さらに、前記検出ステップで検出した前記所定物質の量の時間的推移に基づいて推定される、前記個人の体調の変化に応じた情報を表示する。
【００６８】
これによれば、上記の洗濯機と同様の効果を奏する。
【００６９】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００７０】
以下、実施の形態について、図面を参照しながら具体的に説明する。
【００７１】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００７２】
（実施の形態１）
［衣類付着物質検出装置］
図１は、実施の形態１における洗濯機２００の構成を示すブロック図である。洗濯機２００は、衣類の洗濯を行う洗濯機である。
【００７３】
図１に示されるように、洗濯機２００は、洗濯部２０１と、検出部２１０と、制御部２２０とを備える。
【００７４】
洗濯部２０１は、衣類の洗濯を行う。洗濯部２０１は、洗濯槽２０２を有する。洗濯槽２０２は、水道２０８から注水された水を蓄積する。つまり、水道２０８から供給する水が洗濯槽２０２に投入される。
【００７５】
また、洗濯槽２０２には、例えば、利用者により衣類２０５が投入される。洗濯槽２０２は、投入された衣類２０５及び水を撹拌することで、衣類２０５に付着していた物質を水に溶かす。
【００７６】
例えば、洗濯槽２０２の底面には、パルセータ２０３が取り付けられており、パルセータ２０３にはモータ２０４が取り付けられている。例えば、モータ２０４の回転軸（図示せず）が、パルセータ２０３の中心部に取り付けられており、モータ２０４の回転軸が回転することにより、パルセータ２０３が回転する。
【００７７】
これにより、洗濯槽２０２は、投入された衣類２０５及び水を撹拌する。
【００７８】
洗濯槽２０２に、さらに、洗剤２０６が投入されたとき、洗濯部２０１の処理部は、モータ２０４を再度駆動する。モータ２０４によって回転されるパルセータ２０３によって、洗剤２０６を含む水及び衣類２０５が撹拌される。これにより、衣類２０５が洗浄される、つまり衣類２０５の洗濯が行われる。
【００７９】
また、洗濯部２０１は、例えば、図示しない処理部を備えてもよい。この場合、洗濯部２０１の処理部は、例えば、制御部２２０から信号を受けて、バルブＶ１〜Ｖ２の開閉の動作の制御、および、洗濯槽２０２の制御などを行う。
【００８０】
洗濯槽２０２の制御とは、例えば、モータ２０４の駆動の制御を制御することにより、パルセータ２０３が回転を制御することである。
【００８１】
また、洗濯部２０１の処理部は、制御部２２０から信号を受信したり、制御部２２０へ信号を送信したりする。
【００８２】
洗濯部２０１の処理部は、例えば、プロセッサなどの処理回路（図示せず）とメモリ（図示せず）を有する。メモリには、洗濯部２０１の処理部として機能させるためのプログラムが蓄積されており、処理回路がこのプログラムを実行することにより、洗濯部２０１の処理部が機能する。
【００８３】
または、上述のプログラムの実行により実現される機能を組み込んだ集積回路を洗濯部２０１の処理部としてもよい。
【００８４】
バルブＶ１は、例えば、洗剤２０６を洗濯槽２０２に投入する通路に設けられる。
【００８５】
バルブＶ１が開くことで、洗剤２０６が通路を通じて洗濯槽２０２に供給される。また、バルブＶ１を閉じることで、洗濯槽２０２への洗剤２０６の供給を停止する。
【００８６】
例えば、バルブＶ１を開くための電気信号を受けたとき、バルブＶ１は開く動作を行う。
【００８７】
また、例えば、バルブＶ１を閉じるための電気信号を受けたとき、バルブＶ１は閉じる動作を行う。
【００８８】
バルブＶ２は、例えば、水道２０８から供給される水道水を洗濯槽２０２に注水する水路に設ける。
【００８９】
バルブＶ２が開くことで、水道２０８から供給される水道水が水路を通じて洗濯槽２０２に供給される。また、バルブＶ２を閉じることで、洗濯槽２０２への水道２０８からの水道水の供給を停止する。
【００９０】
例えば、バルブＶ２を開くための電気信号を受けたとき、バルブＶ２は開く動作を行う。
【００９１】
また、例えば、バルブＶ２を閉じるための電気信号を受けたとき、バルブＶ２は閉じる動作を行う。
【００９２】
水道２０８から洗濯槽２０２への注水するタイミングおよび注水する量は、バルブＶ２を電気的に開閉することで制御される。洗剤２０６の投入のタイミングおよび投入される洗剤２０６の量は、バルブＶ１を電気的に開閉することで制御される。例えば、バルブＶ１は、洗剤投入部に相当する。
【００９３】
なお、上記の洗濯部２０１の構成は一例であり、他の構成をとることもできる。
【００９４】
なお、「水」とは、純水のことだけを意味するのではなく、水に比較的少量の不純物が含まれる水溶液又は液体であって、衣類の洗濯に用いられるものも意味するものとする。なお、「衣類」とは、人体に身に着けていた衣服の他、人体から放出等される物質が付着し得るタオル又はハンカチなども含むものとする。
【００９５】
検出部２１０は、衣類２０５に付着した所定物質の検出を行う。検出部２１０は、例えば、保持部２１３と、液体クロマトグラフ２１１とを有する。検出部２１０と、洗濯槽２０２との間は、例えば、水路により連結される。
【００９６】
また、検出部２１０は、例えば、図示しない処理部を備えてもよい。この場合、検出部２１０の処理部は、例えば、制御部２２０から信号を受けて、保持部２１３の制御、ポンプ２１４の駆動の制御、バルブＶ４、Ｖ５の開閉の制御および検出器２１６による検出結果を制御部２２０に出力する制御などを行う。
【００９７】
保持部２１３の制御とは、例えば、バルブＶ３の開閉の動作の制御により、洗濯槽２０２内の水をタンク２１２に保持する動作の制御である。
【００９８】
また、検出部２１０の処理部は、制御部２２０から信号を受信したり、制御部２２０へ信号を送信したりする。
【００９９】
検出部２１０の処理部は、例えば、プロセッサなどの処理回路（図示せず）とメモリ（図示せず）を有する。メモリには、検出部２１０の処理部として機能させるためのプログラムが蓄積されており、処理回路がこのプログラムを実行することにより、検出部２１０の処理部が機能する。
【０１００】
または、上述のプログラムの実行により実現される機能を組み込んだ集積回路を検出部２１０の処理部としてもよい。
【０１０１】
保持部２１３は、衣類２０５に付着していた物質が溶けた水の一部を洗濯槽２０２から分離し、分離した水を保持する。保持部２１３は、タンク２１２と、バルブＶ３と、水路２１７とを有する。
【０１０２】
タンク２１２は、洗濯槽２０２からの水を一時的に保持する。
【０１０３】
水路２１７は、洗濯槽２０２から水をタンク２１２に引き入れることにより、タンク２１２に注水するための水路である。水路２１７は、例えば洗濯槽２０２の底部から延び、タンク２１２に連結される。
【０１０４】
バルブＶ３は、洗濯槽２０２と保持部２１３とを連結する水路２１７に設けられている。
【０１０５】
バルブＶ３を開くことで、洗濯槽２０２内の水がタンク２１２に供給される。また、バルブＶ３を閉じることで、タンク２１２への水の供給を停止する。
【０１０６】
例えば、バルブＶ３を開くための電気信号を受けたとき、バルブＶ３は開く動作を行う。
【０１０７】
また、例えば、バルブＶ３を閉じるための電気信号を受けたとき、バルブＶ３は閉じる動作を行う。
【０１０８】
バルブＶ３は、閉じることで水路２１７における水の流れを止めることによって、洗濯槽２０２内の水（水の一部）を、洗濯槽２０２から分離する。バルブＶ３の開閉の動作の制御は、例えば、制御部２２０からの電気信号に基づいてなされる。
【０１０９】
検出部２１０は、保持部２１３が保持している水に含まれる所定物質の検出を行い、検出結果を示す情報を出力する。検出部２１０は、液体クロマトグラフ２１１と、ポンプ２１４と、カラム２１５と、検出器２１６と、バルブＶ４及びＶ５とを有する。
【０１１０】
液体クロマトグラフ２１１は、タンク２１２に保存した水を液体クロマトグラフィにより成分検出する。なお、液体クロマトグラフィは成分検出方法の一例であり、他の成分検出方法を利用してもよい。例えば、特許文献４に記載されていた、花粉の抗原検出方法を利用することもできる。
【０１１１】
ポンプ２１４は、タンク２１２に保持された水を均一にカラム２１５に送り込む。
【０１１２】
カラム２１５は、物質ごとの吸着度の違いを利用して排出の時間差を作ることで物質の分離を行う。
【０１１３】
検出器２１６は、カラム２１５によって分離された物質の検出を行う。
【０１１４】
バルブＶ４及びＶ５は、タンク２１２内の水がカラム２１５に送出されるか、又は、洗濯機２００外に排出されるかを切り替えるバルブである。
【０１１５】
バルブＶ４は、ポンプ２１４とカラム２１５とつなぐ水路に設けられている。
【０１１６】
バルブＶ４を開き、ポンプ２１４が動作することでタンク２１２内の水がカラム２１５に供給される。また、バルブＶ４を閉じることで、タンク２１２からカラム２１５への水の供給が停止する。
【０１１７】
例えば、バルブＶ４を開くための電気信号を受けたとき、バルブＶ４は、開く動作を行う。
【０１１８】
また、例えば、バルブＶ４を閉じるための電気信号を受けたとき、バルブＶ４は、閉じる動作を行う。
【０１１９】
バルブＶ５は、タンク２１２が保持する水を洗濯機２００の外部へ排出するための水路に設けられている。
【０１２０】
タンク２１２が保持する水を外部へ排出するための水路の一端は、ポンプ２１４と接続されている。
【０１２１】
バルブＶ５を開き、ポンプ２１４が動作することで、タンク２１２内の水が洗濯機２００の外部へ排出される。
【０１２２】
バルブＶ５を閉じるとタンク２１２内の水が洗濯機２００の外部への排出されなくなる。
【０１２３】
例えば、バルブＶ５を開くための電気信号を受けたとき、バルブＶ５は開く動作を行う。
【０１２４】
また、例えば、バルブＶ５を閉じるための電気信号を受けたとき、バルブＶ５は閉じる動作を行う。
【０１２５】
バルブＶ４及びＶ５のそれぞれは、制御部２２０により電気的に制御される。すなわち、バルブＶ４が開かれ、バルブＶ５が閉じられた場合に、タンク２１２内の水がカラム２１５に送出される。また、バルブＶ４が閉じられ、バルブＶ５が開かれ場合に、タンク２１２内の水が洗濯機２００外に排出される。
【０１２６】
制御部２２０は、洗濯機２００が備える各構成要素の動作を制御する処理部である。制御部２２０は、具体的には、洗濯部２０１及び検出部２１０に含まれる処理部を介して洗濯槽２０２の制御、保持部２１３の制御、洗剤投入部の制御、バルブＶ１〜Ｖ５の開閉の動作、ポンプ２１４の駆動の制御等を行う。
【０１２７】
なお、洗濯部２０１及び検出部２１０に含まれる処理部を制御部２２０に含めてもよい。この場合、本明細書において洗濯機２００が備える各構成要素が行うと説明される処理などは、例えば、制御部２２０が各構成要素に直接指示し、当該指示に従って各構成要素が行うということもできる。
【０１２８】
制御部２２０による制御内容と制御のタイミングについては、以降で詳細に説明する。
【０１２９】
制御部２２０は、例えば、図示しないプロセッサとメモリとを備えてもよい。メモリには、例えば、制御部２２０として機能させるためのプログラムなどが蓄積されていてもよい。
【０１３０】
例えば、プロセッサが、メモリに蓄積されたこれらのプログラムを読み出して実行することにより、制御部２２０として機能する。
【０１３１】
また、例えば、制御部２２０の機能が組み込まれた集積回路を用いてもよい。
【０１３２】
また、制御部２２０は、バルブＶ１を制御することで洗剤２０６を洗濯槽２０２に投入する代わりに、洗剤２０６を洗濯槽２０２に投入する指示を利用者に行ってもよい。この場合、制御部２２０は、洗剤投入部に相当する。
【０１３３】
［衣類付着物質検出方法］
以上のように構成された実施の形態１における衣類付着物質検出装置の具体的動作（衣類付着物質検出方法）を、シーケンス図である図２によって説明する。
【０１３４】
図２は、実施の形態１に係る付着物質検出方法を示すシーケンス図である。
【０１３５】
まず、利用者は、洗濯槽２０２に衣類２０５を投入し、洗濯を開始させるための操作を洗濯機２００に対して行う。この操作は、どのようなものであってもよく、例えば、洗濯機２００に設置されたスタートボタンを利用者が押下することにより行われる。
【０１３６】
ステップＳ３０１において、制御部２２０は、上記操作に基づいて、検出準備開始信号を洗濯部２０１に発信する。検出準備開始信号は、例えば、成分検出の準備を洗濯部２０１に行わせる電気信号である。
【０１３７】
ステップＳ３０２において、洗濯部２０１の処理部は、検出準備開始信号を受信する。洗濯部２０１は、バルブＶ２に開く動作を行わせるための信号をバルブＶ２へ送信する。よって、バルブＶ２は、この信号を受信すると、開く動作を行う。
【０１３８】
バルブＶ２が開くと、水道２０８からの水が洗濯槽２０２に注水される。
【０１３９】
また、例えば、水道２０８から洗濯槽２０２へ一定量の水が供給されたとき、洗濯部２０１は、バルブＶ２に閉じるための信号を送信し、バルブＶ２を閉じるように構成してもよい。
【０１４０】
ステップＳ３０３において、洗濯部２０１の処理部は、モータ２０４を駆動し、一定期間、パルセータ２０３を回転させる。これにより、衣類に付着した物質は衣類から分離しやすくなり、この物質を水に溶かす。なお、衣類に付着した物質とは、例えば、衣類を着用していた人体から放出（又は、分泌、発生）された後に衣類に付着した物質、又は、過去に大気中に浮遊するなど環境に存在していて衣類に付着した物質などを含む。物質とは、例えば、人体などの生体により合成された物質、人工的に合成された物質、土又は泥のように自然界に存在する物質などを含む。また、物質とは、例えば、花粉、より詳細には、花粉の抗原であってもよい。なお、「物質を水に溶かす」とは、物質が水に混ざることによって水が物質を含んだ混合液になること、物質が水分子と化学的に結合することで水が水溶液になること、その他、物質が水に含まれるようになることを含む。
【０１４１】
ステップＳ３０４において、洗濯部２０１の処理部は、一定期間、パルセータ２０３を回転させた後、検出準備完了信号を、制御部２２０に発信する。
【０１４２】
検出準備完了信号は、例えば、パルセータ２０３の回転が一定期間行われたことを示す電気信号である。
【０１４３】
このとき、洗濯部２０１の処理部は、一旦、モータ２０４の駆動を停止させることで、パルセータ２０３の回転を停止させてもよい。
【０１４４】
ステップＳ３０５において、制御部２２０は、検出準備完了信号を受信すると、検出サンプル取得開始信号を検出部２１０の処理部に向けて発信する。
【０１４５】
検出サンプル取得開始信号は、例えば、洗濯槽２０２の水を保持部２１３（より具体的にはタンク２１２）に保持する動作を検出部２１０に行わせる指示を含む電気信号である。
【０１４６】
ステップＳ３０６において、検出部２１０の処理部は、検出サンプル取得開始信号を受信すると、バルブＶ３を開くための信号をバルブＶ３へ送る。バルブＶ３を開くための信号を受信すると、バルブＶ３は開く動作を行う。これにより、洗濯槽２０２からの水がタンク２１２に注水される。
【０１４７】
ステップＳ３０７において、検出部２１０の処理部は、一定量の水溶液がタンク２１２に蓄積されると、バルブＶ３を閉じるための信号をバルブＶ３に送る。バルブＶ３は、バルブＶ３を閉じるための信号を受信すると、バルブＶ３は、閉じる動作を行う。これにより、洗濯槽２０２と検出部２１０との間の水路が遮断され、洗濯槽２０２内の水はタンク２１２へ注水されなくなる。
【０１４８】
ステップＳ３０８において、検出部２１０の処理部は、バルブＶ３が閉じられると、検出サンプル取得完了信号を制御部２２０に向けて発信する。
【０１４９】
検出サンプル取得完了信号とは、例えば、洗濯槽２０２の水を保持部２１３（より具体的にはタンク２１２）に保持する動作が完了したことを示す電気信号である。
【０１５０】
検出部２１０は、外部からのなんらかの信号を受信することを待つことなく、非同期的に成分検出を開始する。すなわち、検出部２１０の処理部は、バルブＶ４を開くための信号をバルブＶ４へ送るとともに、バルブＶ５を閉じるための信号をバルブＶ５へ送る。バルブＶ４を開くための信号を受信すると、バルブＶ４は開く動作を行う。
【０１５１】
また、バルブＶ５を閉じるための信号を受信すると、バルブＶ５は閉じる動作を行う。
【０１５２】
検出部２１０の処理部は、ポンプ２１４を駆動することでタンク２１２の水溶液をカラム２１５に供給する。カラム２１５は、物質ごとの吸着度の違いを利用して排出の時間差を作ることで物質の分離を行い、分離した物質を検出器２１６へ供給する。検出器２１６は、カラム２１５から供給される物質の成分の検出を行う（Ｓ３０９）。以上により、タンク２１２に保持された水溶液に含まれる所定物質の検出が検出器２１６により行われる。
【０１５３】
本実施の形態では、検出器２１６により検出される所定物質とは、例えば、衣類に付着した物質であって、洗濯槽２０２に投入された水に溶けた、または混ざった物質である。
【０１５４】
ステップＳ３１０において、制御部２２０は、検出サンプル取得完了信号を受信したら、洗濯部２０１の処理部に対して洗濯開始信号を発信する。洗濯準備開始信号は、例えば、洗濯部２０１に洗濯を行わせる指示を含む電気信号である。
【０１５５】
ステップＳ３１１において、洗濯部２０１の処理部は、洗濯開始信号を受信したら、バルブＶ１を開くための信号をバルブＶ１へ送信する。バルブＶ１を開くための信号を受信すると、バルブＶ１は開く動作を行う。これにより、洗剤２０６が洗濯槽２０２に投入され、洗濯槽２０２の水溶液には洗剤２０６が混入する。このとき、バルブＶ３は閉じられているので、洗剤２０６が混入した水溶液は、タンク２１２に注入されない。よって、洗剤２０６が混入した水溶液が成分検出に影響を与えることがない。
【０１５６】
洗濯槽２０２に洗剤２０６の投入が完了すると、洗濯部２０１の処理部は、バルブＶ１を閉じるための信号をバルブＶ１へ送信する。バルブＶ１を閉じるための信号を受信すると、バルブＶ１は閉じる動作を行う。
【０１５７】
なお、ステップＳ３１１において、洗剤２０６を投入する代わりに、制御部２２０が、利用者に対して洗剤２０６を洗濯槽２０２に投入する指示を行うことにしてもよい。これは、バルブＶ１が電気的に制御されるバルブでない場合に有効である。制御部２２０が、利用者に対して洗剤２０６を洗濯槽２０２に投入する指示は、洗濯機２００が備える表示パネル（図示せず）に洗剤の投入を指示する情報を表示してもよいし、洗濯機２００が備えるスピーカ（図示せず）より、洗剤の投入を指示する音声を出力してもよい。
【０１５８】
ステップＳ３１２において、洗濯部２０１の処理部は、あらかじめプリセットされた洗濯コースの設定に従って、洗濯を開始する。ここで、洗濯コースの設定とは、洗濯、すすぎおよび脱水等の時間配分又は回数の設定のことである。
【０１５９】
ここで、プリセットされた洗濯コースにおいて、洗濯を行う時間の長さは、例えば、検出部２１０により、洗濯槽２０２内の水溶液に含まれる所定物質の検出に要する時間の長さより長くする。
【０１６０】
ステップＳ３１３において、成分検出の開始から所定の時間経過後、洗濯中に検出部２１０による水溶液に含まれる物質の成分検出が完了する。このように、成分検出は、ステップＳ３１２で開始された洗濯の最中に行われるようにしてよく、このようにすることで、洗濯機２００は、所定物質の検出だけのための時間を設ける必要がなく、効率よく所定物質の検出を行うことができる。
【０１６１】
ステップＳ３１４において、検出部２１０の処理部は、成分検出完了信号を制御部２２０に発信する。成分検出完了信号には、例えば、検出部２１０による物質の成分検出が完了したこと、および物質の成分の検出結果に関する情報を含む信号である。
【０１６２】
ステップＳ３１５において、制御部２２０は、成分検出完了信号を受信すると、検出部２１０によって検出された物質の検出結果を分析し、新しい洗濯コース情報を含む信号を生成し、洗濯部２０１に向けて発信する。ここで、洗濯コース情報とは、洗剤２０６の投入量、洗濯槽２０２による洗濯の時間、及び、洗濯槽２０２によるすすぎの時間のうち少なくとも１つを含む情報であって、洗濯機２００による洗濯に関する処理を決定づけるための情報である。
【０１６３】
ここで、ステップＳ３０９の検出において、例えばトランス−２−ノネナールが検出されたとする。トランス−２−ノネナールは加齢臭の原因物質であり、特有の臭気を持つ。制御部２２０は、検出部２１０によって検出された物質の検出結果から、トランス−２−ノネナールを予め定めた所定量よりも多く検出したと判断した場合、臭気を消すことを目的として洗剤２０６を追加で投入する、洗濯時間を延長する、あるいは洗剤２０６とは別に芳香剤入りの柔軟剤を投入するなどの、新しい洗濯コースに関する洗濯コース情報を生成する。新しい洗濯コースとは、例えば、プリセットされた洗濯コースとは別の洗濯コースである。
【０１６４】
ステップＳ３１６において、洗濯部２０１は、洗濯コース情報を受信すると、洗濯コース情報で示された新しい洗濯コースに再設定し、再設定された洗濯コースに従って、洗剤２０６を新たに投入する処理、洗濯槽２０２による洗濯の時間を変更する処理、及び、洗濯槽２０２によるすすぎの時間を変更する処理のうちの少なくとも１つを洗濯部２０１が行う。これにより、洗濯槽２０２は、投入された衣類２０５に付着する物質に応じた、最適な洗濯を実行する。
【０１６５】
ステップＳ３１７において、検出部２１０の処理部は、バルブＶ４を閉じるための信号をバルブＶ４へ送るとともに、バルブＶ５を開くための信号をバルブＶ５へ送る。バルブＶ４を閉じるための信号を受信すると、バルブＶ４は閉じる動作を行う。バルブＶ５を開くための信号を受信すると、バルブＶ５は、開く動作を行う。
【０１６６】
ステップＳ３１８において、検出部２１０の処理部は、ポンプ２１４を駆動することで、タンク２１２に溜まった水溶液を洗濯機２００外に排出することで、次回の検出に備える。
【０１６７】
このように、洗濯機２００は、所定の時間を要する物質の検出（ステップＳ３０９）と、洗濯（ステップＳ３１２）を並行して行うことができる。
【０１６８】
なお、ステップＳ３１５及びＳ３１６は、本開示の実施おいて必須の処理ではなく、あくまで、ステップＳ３１３の成分検出結果の利用の一例である。ステップＳ３１５及びＳ３１６を行うことにすれば、洗濯水の汚れを単純な濁りのみで検出するのとは異なり、物質の精密な検出を行うことで、汚れの原因物質に応じた、より最適な洗濯を実施することができる。
【０１６９】
図３は、実施の形態１に係る洗濯機の構成の一例を示す外観図である。上記のように検出部２１０（検出器２１６）において、液体クロマトグラフィを用いて物質の成分検出を行う場合、カラム２１５は、定期的な交換が必要になることがある。そこで、図３のように、洗濯機２００の側面に、カラム交換用の窓４０１を設け、カラム２１５の交換を容易せしめることで、実施の形態１はより好適なものとなる。
【０１７０】
本構成は、タンク２１２に保持される水に含まれる所定物質の検出は、液体クロマトグラフィに限定されるものではなく、例えば特許文献４の花粉抗原検出方法を用いて所定物質の検出を行うのでもよい。この場合、抗原と反応させる抗体蛍光マーカーを供給するために、蛍光マーカーが保存されたカートリッジを、交換用の窓４０１を介して、交換するようにしてもよい。この例に限らず、所定物質の精密な検出のためには、なんらかの消耗品を用いる場合があり、そのような消耗品の交換のために、洗濯機２００の任意の位置に、交換用窓を用いることは、本開示の実施に非常に有効である。
【０１７１】
本実施の形態では、例えば、制御部２２０が検出サンプル取得開始信号を検出部２１０に送信するのは、図２のタイミングチャートからステップＳ３０５のみである。
【０１７２】
従って、洗濯槽２０２内の水の一部を分離し、分離した水に含まれる所定物質を検出するのは、一回のみとなる。
【０１７３】
しかしながら、このような構成に限定されるものではない。
【０１７４】
例えば、制御部２２０は、異なるタイミングでステップＳ３０５を行うことにより、異なるタイミングで検出サンプル取得開始信号を検出部２１０へ送信してもよい。
【０１７５】
このようにすれば、検出サンプル取得開始信号を受信した検出部２１０の処理部は、保持部２１３を制御し、異なるタイミングで、洗濯槽２０２内の水の一部を分離し、保持部２１３に保持することができる。そして、検出部２１０は、異なるタイミングで、保持部２１３に保持された水に含まれる所定物質を検出するように構成してもよい。
【０１７６】
制御部２２０が、ステップＳ３０５を行い、１回目の検出サンプル取得開始信号を検出部２１０へ送信してから、検出部２１０により、所定物質の検出が完了し、タンク２１２が保持する水を洗濯機２００の外部に排出する。
【０１７７】
その後に制御部２２０が、ステップＳ３０５を行い、２回目の検出サンプル取得開始信号を検出部２１０の処理部に送信するのであれば、タンク２１２は、１つのみであってもよいし、複数あってもよい。
【０１７８】
また、制御部２２０が、１回目の検出サンプル取得開始信号を検出部２１０へ送信してから、検出部２１０により、所定物質の検出が完了し、タンク２１２が保持する水を洗濯機２００の外部に排出するまでの間に、制御部２２０が、２回目の検出サンプル取得開始信号を検出部２１０へ送信するのであれば、タンク２１２は複数設け、異なるタイミングで洗濯槽２０２から分離した水を異なるタンクに保持する必要がある。異なるタイミングで洗濯槽２０２から分離した水が同一のタンク２１２に混ざる可能性があるためである。
【０１７９】
洗濯に用いる水道水は、地域によって、硬水、軟水などのように、成分が異なるものがある。このような成分の違いをあらかじめ考慮しないと、成分の検出結果は、不正確なものになる。
【０１８０】
例えば、水道２０８から供給される水が硬水の場合、検出部２１０に出力される検出結果には、硬水に含まれる物質、例えば炭酸カルシウム等が多く検出されることになる。
【０１８１】
つまり、本来検出したい衣類に付着した物質以外の物質が検出結果に含まれることを意味する。更に、炭酸カルシウムは、利用者の健康状態の推定には寄与しない。
【０１８２】
よって、検出部２１０が出力する検出結果に衣類に付着した物質とは異なる物質（水道水そのものに含まれる物質）が含まれないようにすることが望ましい。
【０１８３】
このため、少なくとも、洗濯槽２０２内の水の一部を異なるタイミングで分離し、保持部２１３に保持する。そして、異なるタイミングで保持部２１３に保持された水に含まれる所定物質をそれぞれ検出するのが望ましい。
【０１８４】
例えば、洗濯部２０１の処理部がバルブＶ２を開いて水道水を洗濯槽２０２に注入した後であって、洗濯槽２０２に衣類を投入する前に、制御部２２０は、１回目の検出サンプル取得開始信号を検出部２１０へ送信する。
【０１８５】
検出部２１０はバルブＶ３を開いて洗濯槽２０２内の水をタンク２１２に注水し、その後バルブＶ３を閉じる。これにより、保持部２１３のタンク２１２には、水道２０８から供給される水のみが保持されることになる。
【０１８６】
そして、検出部２１０は、タンク２１２に保持された水をカラム２１５に供給し、検出器２１６を用いて水に含まれる物質を検出する。この検出を検出Ａと言うことにする。検出Ａに基づく検出結果（検出結果Ａという）には、水道水そのものに含まれる物質の成分情報が含まれる。
【０１８７】
そして、例えば、洗濯槽２０２に衣類を投入した後、洗濯槽２０２が衣類と水を撹拌し、一定時間が経過した後、制御部２２０は、２回目の検出サンプル取得開始信号を検出部２１０へ送信する。
【０１８８】
検出部２１０は、バルブＶ３を再度開いて洗濯槽２０２内の水をタンク２１２に注水し、その後バルブＶ３を閉じる。これにより、保持部２１３のタンク２１２に保持される水には、水道２０８から供給される水道水に含まれる物質、衣類に付着していた物質が含まれる。
【０１８９】
そして、検出部２１０は、タンク２１２に保持された水をカラム２１５に供給し、検出器２１６を用いて水に含まれる物質を検出する。この検出を検出Ｂと言うことにする。検出Ｂに基づく検出結果（検出結果Ｂという）には、水道水そのものに含まれる物質の成分情報、衣類に付着していた物質の成分情報が含まれる。
【０１９０】
検出部２１０、例えば検出部２１０の処理部は、検出結果Ａと、検出結果Ｂとを比較し、検出結果Ａと、検出結果Ｂの両方に含まれる物質の成分情報を水道水そのものに含まれる物質の成分情報と特定する。そして、検出部２１０の処理部は、検出結果Ｂから、水道水そのものに含まれる物質の成分情報を除外した検出結果を含む成分検出完了信号を制御部２２０へ出力する。
【０１９１】
これにより、制御部２２０に送信される検出結果には、衣類に付着していた物質の成分情報のみが含まれる。よって、制御部２２０は、送信された検出結果を分析し、衣類に付着していた物質（所定物質）に基づく洗濯コースの情報を生成できる。
【０１９２】
なお、検出結果Ａと、検出結果Ｂの比較、水道水そのものに含まれる物質の成分情報の特定、検出結果Ｂに含まれる水道水そのものに含まれる物質の成分情報の除外は、検出部２１０の処理部が行うものとして説明をしたが、これに限定をされるものではない。例えば、制御部２２０が上述の処理を行ってもよい。この場合、検出部２１０の処理部は、検出結果Ａと、検出結果Ｂをそれぞれ、制御部２２０に送信する。制御部２２０は、検出結果Ａと、検出結果Ｂとを受信した後、上述の処理を行えばよい。
【０１９３】
このようにしても、制御部２２０は、衣類に付着していた物質を所定物質として特定し、所定物質に基づく洗濯コースの設定が行える。
【０１９４】
なお、例えば、洗濯部２０１の処理部がバルブＶ１を開いて水道水を洗濯槽２０２に注入した後であって、洗濯槽２０２に衣類を投入した直後に、制御部２２０は、１回目の検出サンプル取得開始信号を検出部２１０へ送信するのでもよい。
【０１９５】
検出部２１０はバルブＶ３を開いて洗濯槽２０２内の水をタンク２１２に注水し、その後バルブＶ３を閉じる。洗濯槽２０２に衣類を投入した直後であれば、衣類に付着した物質がまだ洗濯槽２０２内の水に溶けていないと考えられる。このようにしても、保持部２１３のタンク２１２には、水道２０８から供給される水のみが保持されると考えられる。
【０１９６】
そして、検出部２１０は、タンク２１２に保持された水をカラム２１５に供給し、検出器２１６を用いて水に含まれる物質を検出する。この検出を検出Ａと言うことしてもよい。検出Ａに基づく検出結果Ａには、水道水そのものに含まれる物質の成分情報が含まれる。
【０１９７】
例えば、水道２０８から供給される水が硬水である例を説明する。硬水には、炭酸カルシウムが含まれる。
【０１９８】
従って、検出Ａと検出Ｂでは、両方とも、炭酸カルシウムが検出される。
【０１９９】
しかし、検出Ｂでは、検出Ａの段階では、まだ十分に水に溶け出すことはなかったが、一定時間が経過することで、より多く水に溶け出すことになった、衣類に付着していた物質の成分が検出される。
【０２００】
そこで、検出部２１０の処理部は、検出結果Ａと検出結果Ｂとの比較を行う。
【０２０１】
制御部２２０は、検出結果Ａおよび検出結果Ｂで、共通して検出された物質の成分情報（例えば、炭酸カルシウム）は、硬水に含まれる物質の成分情報と特定し、特定した物質の成分情報を検出結果Ｂから除外する。
【０２０２】
そして、検出結果Ｂから特定した物質（例えば、炭酸カルシウム）の成分情報を除外した検出結果を含む成分検出完了信号を制御部２２０へ送信する。
【０２０３】
制御部２２０は、受信した検出結果を分析することで、これにより、洗濯に用いた水道水の質にかかわらず、衣類に付着していた物質（所定物質）に基づく洗濯コースの情報の生成ができる。
【０２０４】
また、検出Ｂの際には、ヒータなどの加熱部（図示せず）を用いて水道水を加熱し、温水にしても良い。水道水を温水にすることで、衣類に付着した物質が衣類からより一層分離し易くなる。
【０２０５】
例えば、検出Ａにおいては、洗濯槽２０２に注水する水道水を冷水とし、検出Ａを行ってから検出Ｂを行うまでの間に洗濯槽２０２内の水道水を加熱して温水にする。
【０２０６】
その後、制御部２２０は、２回目の検出サンプル取得開始信号を検出部２１０へ送信し、検出部２１０が、検出Ｂを行うようにしてもよい。これにより、冷水の水道水を用いて行った検出Ａの検出結果Ａと温水の水道水を用いて検出Ｂを行った検出結果Ｂとの差が大きくなり、衣類に付着した物質をより精度よく検出できる。
【０２０７】
洗濯槽２０２内の水の一部を分離するタイミングは、上述のタイミングのもに限定をされるものではない。例えば、洗濯槽２０２内の水の一部を分離するタイミングを変えることで、洗剤投入後であっても衣類に付着した物質の特定が可能となる。
【０２０８】
以下に詳細に説明をする。例えば、衣類２０５及び水道２０８からの水が投入された洗濯槽２０２に洗剤を投入した直後、制御部２２０は、検出サンプル取得開始信号を検出部２１０へ送信する。
【０２０９】
検出部２１０は、バルブＶ３を開いて洗濯槽２０２内の水をタンク２１２に注水し、その後バルブＶ３を閉じる。
【０２１０】
これにより、保持部２１３のタンク２１２に保持される水には、水道２０８から供給される水道水に含まれる物質、衣類に付着していた物質および洗剤に含まれる物質が含まれる。
【０２１１】
そして、検出部２１０は、タンク２１２に保持された水をカラム２１５に供給し、検出器２１６を用いて水に含まれる物質を検出する。この検出を検出Ｃと言うことにする。検出Ｃに基づく検出結果（検出結果Ｃという）には、水道水そのものに含まれる物質の成分情報、衣類に付着していた物質の成分情報、および洗剤に含まれる物質の成分情報が含まれる。
【０２１２】
次に、洗剤投入後一定時間が経過した後、制御部２２０は、新たな検出サンプル取得開始信号を検出部２１０へ送信する。
【０２１３】
検出部２１０は、バルブＶ３を開いて洗濯槽２０２内の水をタンク２１２に注水し、その後バルブＶ３を閉じる。
【０２１４】
これにより、保持部２１３のタンク２１２に保持される水には、水道２０８から供給される水道水に含まれる物質、衣類に付着していた物質および洗剤に含まれる物質が含まれる。
【０２１５】
そして、検出部２１０は、タンク２１２に保持された水をカラム２１５に供給し、検出器２１６を用いて水に含まれる物質を検出する。この検出を検出Ｄと言うことにする。検出Ｄに基づく検出結果（検出結果Ｄという）には、水道水そのものに含まれる物質の成分情報、衣類に付着していた物質の成分情報、および洗剤に含まれる物質の成分情報が含まれる。
【０２１６】
検出部２１０、例えば検出部２１０の処理部は、検出結果Ｃと、検出結果Ｄとを比較し、検出結果Ｃと、検出結果Ｄの両方に含まれる物質であって、これらの検出により検出される量の差が予め定めた値よりも小さい物質の成分情報を水道水そのものに含まれる物質の成分情報、および洗剤に含まれる物質の成分情報と特定する。
【０２１７】
検出結果Ｄから特定した水道水そのものに含まれる物質の成分情報、および特定した洗剤に含まれる物質の成分情報を除外する。
【０２１８】
これにより、上述の物資の成分情報を除外した検出結果Ｄには、衣類に付着していた物質の成分情報が含まれる。
【０２１９】
または、検出部２１０、例えば検出部２１０の処理部は、検出結果Ｃと、検出結果Ｄとを比較し、検出結果Ｃと、検出結果Ｄの両方に含まれる物質の成分情報であって、これらの検出により検出される量の差が予め定めた値よりも大きい物質の成分情報を衣類に付着していた物質の成分情報であると特定する。
【０２２０】
また、検出部２１０、例えば検出部２１０の処理部は、検出結果Ｃと、検出結果Ｄとを比較し、検出結果Ｄにのみ含まれる物質の成分情報を衣類に付着していた物質の成分情報であると特定する。
【０２２１】
そして、検出結果Ｄに含まれる物質の成分情報のうち、衣類に付着していた物質の成分情報以外の成分情報を除外する。
【０２２２】
そして、検出部２１０の処理部は、衣類に付着していた物質の成分情報のみを含む検出結果を含む成分検出完了信号を制御部２２０へ出力する。
【０２２３】
よって、制御部２２０は、送信された検出結果を分析し、衣類に付着していた物質（所定物質）に基づく洗濯コースの情報を生成できる。
【０２２４】
すなわち、検出部２１０は、洗剤投入後、および洗剤投入後から一定の時間間隔をおいた２度の時点で、検出（検出Ｃ、検出Ｄ）を行い、２度の検出による検出結果（検出結果Ｃ、検出結果Ｄ）を比較し、洗剤に含まれる物質の成分を除外することにより、投入する洗剤の種類によらず、衣類に付着した物質を特定することが可能となる。
【０２２５】
また、衣類に付着した物質は、水道水には溶けにくいが、洗剤を含んだ水には溶けやすいものもある。よって上述の処理は、洗剤を投入しなければ衣類から分離しづらい物質の成分情報を特定することが可能となる。
【０２２６】
なお、検出結果Ｃと、検出結果Ｄの比較、洗剤に含まれる物質の成分情報の特定、衣類に付着した物質の特定などは、検出部２１０の処理部が行うものとして説明をしたが、これに限定をされるものではない。例えば、制御部２２０が上述の処理を行ってもよい。この場合、検出部２１０の処理部は、検出結果Ｃと、検出結果Ｄをそれぞれ、制御部２２０に送信する。制御部２２０は、検出結果Ｃと、検出結果Ｄとを受信した後、上述の処理を行えばよい。
【０２２７】
このようにしても、制御部２２０は、衣類に付着していた物質を所定物質として特定し、所定物質に基づく洗濯コースの設定が行える。
【０２２８】
また、検出Ｄの際には、水道水を加熱し、温水にするとより一層好適である。さらに、検出Ｃの前に、洗剤投入前の水道水のみを用いた検出Ｂを実施してもよい。
【０２２９】
検出部２１０の処理部は、検出結果Ｂと検出結果Ｃを比較することで、洗剤投入前の水の中に存在していた物質は特定され、特定された物質の成分情報を検出結果Ｃから除外すれば、検出結果Ｃにより新たに検出された物質の成分情報（例えば、洗剤に含まれる物質の成分情報）を特定できる。
【０２３０】
更に、検出部２１０の処理部は、検出結果Ｂと検出結果Ｃと検出結果Ｄを同様に比較することで、検出結果Ｄにより新たに検出された物質の成分情報を特定することができる。
【０２３１】
このことで、より一層、時間経過にともなって、新たに検出される物質の成分情報の特定が、精度よいものとなる。
【０２３２】
このことは逆に言えば、時間経過にともなって、それまでに検出された物質の成分情報を検出結果から精度よく除外できることを意味する。
【０２３３】
上記の検出Ｃ，Ｄを、異なる洗剤を用いて、２度実施してもよい。例えば、洗剤Ｘを投入し、洗剤Ｘ投入直後に検出Ｃを行い、一定時間経過後に検出Ｄを行う。
【０２３４】
さらに洗剤Ｙを投入し、洗剤Ｙ投入直後に検出Ｅを行い、一定時間経過後に検出Ｆを行う。検出Ｅによる検出結果（検出結果Ｅ）と検出Ｆによる検出結果（検出結果Ｆ）は、両方とも、洗剤Ｘに含まれる物質の成分情報と洗剤Ｙに含まれる物質の成分情報が検出されるが、これらの物質の成分情報は、検出結果Ｅと検出結果Ｆを比較することで、特定できる。
【０２３５】
一方、検出結果Ｄに含まれる物質の成分情報と、検出結果Ｆに含まれる物質の成分情報とを比較すると、検出結果Ｆには、洗剤Ｙを投入することで新たに衣類から分離した物質の成分情報が含まれている。すなわち、検出Ｆで新たに検出された物質は、洗剤Ｘでは分離できず、洗剤Ｙで分離できる物質であるので、洗剤Ｙに含まれる物質の成分があらかじめわかっていれば、衣類２０５に付着した物質の成分情報の特定が、より精度よく行えるという格別の効果を生む。
【０２３６】
また、検査結果Ｃ〜Ｆの比較に基づいて衣類２０５に付着した物質の成分情報の特定を検出部２１０の処理部が行うものとして説明をしたが、これに限定をされるものではない。例えば、制御部２２０が上述の処理を行ってもよい。
【０２３７】
実施の形態１では、タンク２１２を用いて洗濯槽２０２の水溶液を採取する旨を説明したが、上記の時間差を利用した物質の検出方法を実施すれば、タンク２１２は必須の構成要素ではなくなる。すなわち、洗剤投入後の水溶液をタンク２１２に蓄積せずにカラム２１５に供給し、検出器２１６で検出し、一定時間後に、もう一度、洗濯槽２０２内の水溶液をタンク２１２に蓄積せずにカラム２１５に供給し、検出器２１６で検出し、両者の検出結果を比較することで、洗剤に含まれる物質の成分情報を検出結果から除外し、衣類から分離された物質の特定が可能となる。この構成によれば、タンク２１２を用いることなく、本開示の目的である、衣類に付着した所定物質の検出と、洗濯とを並行して行うことが可能となる。
【０２３８】
上記の時間差を利用した物質の検出は、洗濯のたびに行うだけでなく、別のタイミングで行うことができる。例えば、洗濯機を購入したタイミングで、衣類も洗剤も投入しない状態で、制御部２２０は、検出サンプル取得開始信号を検出部２１０へ送信する。
【０２３９】
検出部２１０はバルブＶ３を開いて洗濯槽２０２内の水をタンク２１２に注水し、その後バルブＶ３を閉じる。これにより、保持部２１３のタンク２１２には、水道２０８から供給される水のみが保持されることになる。
【０２４０】
そして、検出部２１０は、タンク２１２に保持された水をカラム２１５に供給し、検出器２１６を用いて水に含まれる物質を検出する。この検出を水道水検出と言うことにする。水道水検出に基づく検出結果（水道水検出結果）には、水道水そのものに含まれる物質の成分情報が含まれる。
【０２４１】
もし、洗濯機を購入した地域の水道水が硬水であれば、この検査で炭酸カルシウム等が検出される。例えば、検出部２１０の処理部は、この水道水検出結果をメモリ（図示せず）などに記録しておく。その後、洗濯に伴う物質の検出結果と、水道水検出結果との比較を行い、水道水に含まれる物質の成分情報を特定する。そして、検出部２１０の処理部は、水道水に含まれる物質の成分情報を除外した検出結果を含む成分検出完了信号を制御部２２０に送信する。
【０２４２】
このようにすれば、制御部２２０は、検出結果に含まれる衣類に付着した物質の成分情報に基づいて洗濯コース情報を生成することができる。
【０２４３】
また、制御部２２０は、硬水に含まれる物質の成分情報を用いて洗濯コース情報を生成することはないので、水道水が硬水であることによる検出誤差を防ぐことができる。また、水道水が硬水であると、物質の検出結果に影響を及ぼすだけでなく、そもそも洗剤がうまく働かないなどの洗濯に関する不具合の原因になるから、水道水検査で硬水だと判断された場合は、洗濯機２００は、例えば水道水にフィルタをつけ、軟水にするべきだという旨の情報を利用者に提示しても良い。
【０２４４】
また、硬水は煮沸することで軟水化するので、水道水検査で硬水だと判断された場合は、洗濯機２００が水道水を煮沸してから洗濯に用いるようにしても良い。
【０２４５】
上記の洗濯槽２０２に投入した水道水に含まれる物質の成分の検出は、洗濯機２００を購入したタイミングだけではなく、定期的に実施してもよい。洗濯機を購入したタイミングで洗濯槽２０２に投入した水道水に含まれる物質の成分の検出結果（水道水検出結果）と、その後の定期的な洗濯槽２０２に投入した水道水に含まれる物質の成分の検出結果を比較すれば、購入時にはなかった物質、たとえば洗濯槽２０２に付着した汚れやカビなどに由来する物質が検出できる。したがって、洗濯機２００は、例えば、洗濯槽２０２の汚れの度合いと、それらのクリーニングの処理の必要性を、利用者に示すことが可能となる。
【０２４６】
以上のように、本実施の形態に係る洗濯機２００によれば、洗濯機２００は、洗濯槽２０２から分離した、物質が溶けた水を対象として所定物質の検出を行う。所定物質の検出には、例えば液体クロマトグラフィのような検出方法が用いられるが、検出に所定の時間を要する。仮に洗濯槽２０２から水を分離しないとすれば、物質の検出結果が出た後でなければ洗濯のための洗剤を投入できないこととなる。本開示の一態様に係る洗濯機２００は、上記のように検出対象を含む水を洗濯槽２０２から分離するので、検出結果が出るのを待つことなく、洗濯槽２０２に洗濯のための洗剤を投入することができる。よって、洗濯機２００は、人体又は環境から発生する物質を効率よく検出することができる。
【０２４７】
また、洗濯機２００は、衣類の洗濯を行っている最中に、当該衣類に付着していた所定物質の検出を行う。これにより、衣類の洗濯と並行して、所定物質の検出を行うことができ、所定物質の検出だけのための時間を設ける必要がない。よって、洗濯機２００は、人体又は環境から発生する物質を効率よく検出することができる。
【０２４８】
また、洗濯機２００は、衣類に付着していた物質を積極的に水に溶かし、物質が溶けた水を分離する。そして、分離した水を対象として所定物質の検出を行う。よって、洗濯機２００は、より精度よく、人体又は環境から発生する物質を検出することができる。
【０２４９】
また、洗濯機２００は、具体的に、洗濯槽２０２、洗剤投入部、保持部２１３及び検出部２１０を制御することで、上記と同様の効果を奏する。
【０２５０】
また、洗濯機２００は、所定物質の検出結果に基づいて、洗濯に関する設定をより適切なものに変更する。これにより、洗濯機２００は、衣類に付着していた所定物質を、よりよく洗浄することができる。
【０２５１】
また、洗濯機２００は、所定物質の検出結果に基づいて、洗濯に関する設定をより適切かつ具体的なものに変更する。これにより、洗濯機２００は、衣類に付着していた所定物質を、よりよく洗浄することができる。
【０２５２】
また、洗濯機２００は、具体的に大気中を浮遊していた物質を所定物質として検出する。利用者は、大気中を浮遊していた物質の検出結果を知ることができ、所定物質の増減に応じてマスク又は帽子などを身につける等、検出結果に対応した行動をとることができる。
【０２５３】
また、洗濯機２００は、具体的に花粉に含まれる抗原を所定物質として検出する。利用者は、花粉に含まれる抗原の検出結果を知ることができ、花粉に含まれる抗原の増減に応じてマスク又は帽子などを身につける等、検出結果に対応した行動をとることができる。
【０２５４】
また、洗濯機２００は、具体的に人体から放出される物質を所定物質として検出する。利用者は、人体から放出される物質の検出結果を知ることができ、人体から放出される物質の増減に応じて食事又は運動等の健康管理を行う等、検出結果に対応した行動をとることができる。
【０２５５】
また、洗濯機２００は、具体的に液体クロマトグラフィを用いて所定物質の検出を行う。よって、洗濯機２００は、より正確に所定物質の検出を行うことができる。
【０２５６】
また、洗濯機２００は、当該窓を通じて所定物質の検出を行うための部品の交換がなされる。利用者は、洗濯機を分解することなく、より簡便に交換のための作業を行うことができる。
【０２５７】
また、洗濯機２００は、洗濯槽２０２の水をタンク２１２に引き入れ、その後、特にバルブＶ３を用いて洗濯槽２０２の水とタンク２１２の水とを分離することができる。よって、洗濯機２００は、より確実に、所定物質の検出対象となる水を洗濯槽２０２から分離した上で、所定物質の検出を行うことができる。
【０２５８】
（実施の形態２）
［全体構成］
まず、実施の形態２に係る付着物質検出システム１０の全体構成について説明する。
【０２５９】
図４は、本実施の形態に係る付着物質検出システム１０の全体構成を示すブロック図である。
【０２６０】
図４の（Ａ）に示されるように、付着物質検出システム１０は、グループ２１００と、データセンター運営会社２１１０と、サービスプロバイダー２１２０とを備える。
【０２６１】
グループ２１００は、例えば企業、団体、家庭等であり、その規模を問わない。グループ２１００には、家庭内のテレビやエアコンや洗濯機、電子レンジなどの複数の機器２１０１である機器Ａ、機器Ｂ及びホームゲートウェイ２１０２が存在する。複数の機器２１０１には、インターネットと接続可能な機器（例えばテレビ）もあれば、それ自身ではインターネットと接続不可能な機器（例えば、エアコンなど）も存在する。それ自身ではインターネットと接続不可能な機器であっても、ホームゲートウェイ２１０２を介してインターネットと接続可能となる機器が存在してもよい。またグループ２１００には、複数の機器２１０１を使用するユーザ２０１０が存在する。
【０２６２】
データセンター運営会社２１１０には、クラウドサーバ２１１１が存在する。クラウドサーバ２１１１は、インターネットを介して様々な機器と連携する仮想化サーバである。主に通常のデータベース管理ツール等で扱うことが困難な巨大なデータ（ビッグデータ）等を管理する。データセンター運営会社２１１０は、データ管理やクラウドサーバ２１１１の管理、それらを行うデータセンターの運営等を行っている。データセンター運営会社２１１０が行っている役務の詳細については後述する。
【０２６３】
ここで、データセンター運営会社２１１０は、データ管理やクラウドサーバ２１１１の運営等のみを行っている会社に限らない。例えば複数の機器２１０１のうちの一つの機器を開発・製造している機器メーカが、併せてデータ管理やクラウドサーバ２１１１の管理等を行っている場合は、機器メーカがデータセンター運営会社２１１０に該当する（図４の（Ｂ））。また、データセンター運営会社２１１０は一つの会社に限らない。例えば機器メーカ及び他の管理会社が共同もしくは分担してデータ管理やクラウドサーバ２１１１の運営を行っている場合は、両者もしくはいずれか一方がデータセンター運営会社２１１０に該当するものとする（図４の（Ｃ））。
【０２６４】
サービスプロバイダー２１２０は、サーバ２１２１を保有している。ここで言うサーバ２１２１とは、その規模は問わず例えば、個人用ＰＣ内のメモリ等も含む。また、サービスプロバイダーがサーバ２１２１を保有していない場合もある。
【０２６５】
なお、上記システムにおいてホームゲートウェイ２１０２は必須ではない。例えば、クラウドサーバ２１１１が全てのデータ管理を行っている場合等は、ホームゲートウェイ２１０２は不要となる。また、家庭内のあらゆる機器がインターネットに接続されている場合のように、それ自身ではインターネットと接続不可能な機器は存在しない場合もある。
【０２６６】
次に、上記システムにおける情報の流れを説明する。
【０２６７】
まず、グループ２１００の機器Ａ又は機器Ｂは、各ログ情報をデータセンター運営会社２１１０のクラウドサーバ２１１１に送信する。クラウドサーバ２１１１は機器Ａ又は機器Ｂのログ情報を集積する（図４の（ａ））。ここで、ログ情報とは複数の機器２１０１が取得した、ユーザ２０１０の機器の操作に関する情報や、ユーザ２０１０が機器を操作して入力した情報などである。例えば、ユーザ２０１０は、テレビでＶＯＤ（ヴィデオオンデマンド）サービスを利用する際、テレビを操作して、自身の個人情報を入力する。このような個人情報も、ログ情報として集積されてよい。
【０２６８】
さらに、ユーザ２０１０がテレビをつけた日にちや時間もログ情報であり、消した時間や、いつチャンネルを変更したか、いつボリュームを操作したか、なども、すべてログ情報である。さらには、冷蔵庫のドアをいつ開けたか、エアコンをいつつけたか、電子レンジをいつ操作したか、なども、ログ情報に含まれる。ログ情報は、インターネットを介して複数の機器２１０１自体から直接クラウドサーバ２１１１に提供される場合もある。また複数の機器２１０１から一旦ホームゲートウェイ２１０２にログ情報が集積され、ホームゲートウェイ２１０２からクラウドサーバ２１１１に提供されてもよい。
【０２６９】
次に、データセンター運営会社２１１０のクラウドサーバ２１１１は、集積したログ情報を一定の単位でサービスプロバイダー２１２０に提供する。ここで、一定の単位は、データセンター運営会社が集積した情報を整理してサービスプロバイダー２１２０に提供することの出来る単位でもいいし、サービスプロバイダー２１２０が要求した単位でもいい。また、一定の単位と記載したが一定でなくてもよく、状況に応じて提供する情報量が変化する場合もある。
【０２７０】
上記ログ情報は、必要に応じてサービスプロバイダー２１２０が保有するサーバ２１２１に保存される（図４の（ｂ））。そして、サービスプロバイダー２１２０は、ログ情報をユーザに提供するサービスに適合する情報に整理し、ユーザに提供する。すなわち、情報を提供されるユーザは、複数の機器２１０１を使用するユーザ２０１０でもよいし、外部のユーザ２０２０でもよい。ユーザへのサービスは、例えば、サービスプロバイダーから直接ユーザへ提供されてもよい（図４の（ｅ）及び（ｆ））。
【０２７１】
また、ユーザへのサービスは、例えば、データセンター運営会社２１１０のクラウドサーバ２１１１を再度経由して、ユーザに提供されてもよい（図４の（ｃ）及び（ｄ））。また、データセンター運営会社２１１０のクラウドサーバ２１１１がログ情報をユーザに提供するサービスに適合する情報に整理し、サービスプロバイダー２１２０に提供してもよい。なお、ユーザ２０１０とユーザ２０２０とは、別でも同一でもよい。
【０２７２】
［詳細構成］
図５は、本実施の形態における付着物質検出システム１０の詳細構成を示すブロック図である。なお、図５において、既に説明した構成要素は同じ図番を持っているので、説明を割愛する。
【０２７３】
図５に示されるように、付着物質検出システム１０は、洗濯機２００Ａと、クラウドサーバ５１０と、表示部５２０とを備える。
【０２７４】
洗濯機２００Ａは、図４におけるグループ２１００に含まれる機器Ａ又は機器Ｂ２１０１に相当するものである。
【０２７５】
洗濯機２００Ａは、洗濯部２０１と、検出部２１０と、制御部２２０（図示せず）と、送信部５０１とを備える。洗濯機２００Ａが、実施の形態１における洗濯機２００と異なる点は、送信部５０１を備える点である。
【０２７６】
送信部５０１は、検出部２１０が検出した検出結果に対応する衣類に付着した物質の成分情報を、クラウドサーバ５１０に送信する。なお、送信部５０１は、クラウドサーバ５１０から情報を受信する機能をも有する送受信部としてもよい。
【０２７７】
クラウドサーバ５１０は、図４におけるクラウドサーバ２１１１に相当する。クラウドサーバ５１０は、好適には、インターネット上のサーバで、洗濯機２００Ａが置かれる家（グループ２１００）とは別の場所に置かれるものであるが、その限りではなく、例えば洗濯機２００Ａが置かれる家の中にあってもよい。また後述する、クラウドサーバ５１０の構成要素、特に、情報蓄積部５１１と、情報集計部５１２は、例えば、洗濯機２００Ａに内蔵されてもよい。
【０２７８】
クラウドサーバ５１０は、情報蓄積部５１１と、情報集計部５１２と、送受信部５１３とを備える。なお、クラウドサーバ５１０は、洗濯機２００Ａとインターネットなどのネットワークを介して接続する外部にある装置であるので、外部装置とよぶこともある。
【０２７９】
情報蓄積部５１１は、成分情報を書き込み可能な記録媒体に保存することで蓄積する。書き込み可能な記録媒体とは、例えば、ハードディスク、メモリなどである。情報蓄積部５１１は、検出部２１０が検出結果に対応する成分情報を出力するたびに、成分情報と、成分情報が出力された時刻とを対応付けて蓄積する。情報蓄積部５１１が２回以上の洗濯に係る成分情報を保存することで、成分情報の時間的推移の分析が可能となる。
【０２８０】
情報集計部５１２は、表示部５２０からのリクエスト（後述）に応じて、情報蓄積部５１１から複数の成分情報を読み出し、その時間的推移を分析し、表示情報を生成する処理部である。表示情報は、例えば、ＨＴＭＬ（ＨｙｐｅｒＴｅｘｔ  Ｍａｒｋｕｐ  Ｌａｎｇｕａｇｅ）形式で記述され、Ｗｅｂブラウザなどで表示されるものである。
【０２８１】
送受信部５１３は、表示情報のリクエストを表示部５２０から受け付け、また、リクエストに応じて表示情報を表示部５２０へ送信する処理部である。
【０２８２】
表示部５２０は、成分情報等を表示するための表示画面（ディスプレイ）である。表示部５２０は、洗濯機２００Ａに備えられていてもよいし、スマートフォン、タブレット又はＰＣのような端末装置であって、例えばインターネット等のネットワークを介してクラウドサーバ５１０と接続されている端末装置に備えられてもよい。表示部５２０は、利用者による操作に基づいてクラウドサーバ５１０へリクエストを送信し、表示情報を受信し、Ｗｅｂブラウザなどで表示情報を表示する。
【０２８３】
つまり、表示部５２０は、情報蓄積部５１１に蓄積された複数の情報のそれぞれを、当該情報が出力された時刻に対応付けて表示する。
【０２８４】
なお、表示部５２０を備える装置のことを、「外部の表示端末」とよぶこともある。外部の表示端末は、例えば、クラウドサーバ５１０および洗濯機２００Ａからネットワークを介して送信される情報を受信する受信部（図示せず）を備える。
【０２８５】
また、外部の表示端末は、例えば、クラウドサーバ５１０および洗濯機２００Ａへ情報を送信する送信部（図示せず）を備えてもよい。
【０２８６】
また、表示部５２０は、洗濯機２００Ａが備えてもよい。
【０２８７】
［衣類付着物質検出方法］
以上のように構成された本実施の形態における衣類付着物質検出システムの具体的動作（付着物質検出方法）を説明する。
【０２８８】
図６は、本実施の形態に係る付着物質検出方法のシーケンス図である。
【０２８９】
ステップＳ６０１において、洗濯機２００Ａは、洗濯を繰り返し行う。洗濯機２００Ａは、一般に１日あたり１回〜２回の洗濯を行い、これを毎日繰り返すことで、洗濯を繰り返し行う。なお、洗濯の回数は洗濯機２００Ａを使用する家により大きく異なり、１日あたり３回以上の洗濯を行う場合もあれば、数日あたり１回の洗濯を行う場合もある。
【０２９０】
ステップＳ６０２において、検出部２１０は、洗濯の際に、実施の形態１で説明した、衣類に付着した物質の成分検出を行う。
【０２９１】
そして、検出部２１０は、検出結果に対応する衣類から分離した所定物質の成分情報を送信部５０１に出力する。
【０２９２】
ステップＳ６０３において、制御部２２０は、送信部５０１に成分情報を含む検出結果を、すべての洗濯機２００ＡごとにユニークなＩＤである洗濯機ＩＤと共に、クラウドサーバ５１０へ発信させる。
【０２９３】
ステップＳ６０４において、クラウドサーバ５１０は、洗濯機ＩＤと成分情報とを受信し、情報蓄積部５１１に、受信した洗濯機ＩＤのエントリが存在するか否かを判定する。エントリが存在しなかった場合（Ｓ６０４で「Ｎ」）は、ステップＳ６０５へ進む。一方、エントリが存在した場合（Ｓ６０４で「Ｙ」）は、ステップＳ６０６へ進む。
【０２９４】
ステップＳ６０５において、情報蓄積部５１１は、新たに受信した洗濯機ＩＤのエントリを作成する。
【０２９５】
ステップＳ６０６において、情報蓄積部５１１は、受信した洗濯機ＩＤのエントリに、受信した成分情報を記録する。ステップＳ６０６は、洗濯機２００Ａの洗濯の度に繰り返される。
【０２９６】
ステップＳ６０７において、表示部５２０は、表示要求を洗濯機ＩＤと共に発信する。表示部５２０は、洗濯機２００Ａとなんらかの方法で情報伝達することで、あらかじめ該洗濯機２００Ａの洗濯機ＩＤを入手しておくことができる。情報伝達方法は、近距離無線通信などの無線通信による情報伝達、又は、有線通信を介する情報伝達等を用いることができる。また、利用者が洗濯機２００Ａに刻印された洗濯機ＩＤを読み取り、読み取った洗濯機ＩＤを表示部５２０に入力することによる情報伝達であってもよい。
【０２９７】
ステップＳ６０８において、クラウドサーバ５１０は、洗濯機ＩＤと表示要求とを受信すると、指定された洗濯機ＩＤのエントリが情報蓄積部５１１に存在するか否かを判定する。エントリが存在しなかった場合（Ｓ６０８で「Ｎ」）は、ステップＳ６０９へ進む。一方、エントリが存在した場合（Ｓ６０８で「Ｙ」）は、ステップＳ６１０へ進む。
【０２９８】
ステップＳ６０９において、情報集計部５１２は、エントリが存在しない旨の表示情報を作成する。
【０２９９】
ステップＳ６１０において、情報集計部５１２は、複数の成分情報を読み出し、時系列の変化を分析し、表示情報を作成する。
【０３００】
ステップＳ６１１において、送受信部５１３は、表示要求をリクエストした表示部５２０へ表示情報を発信する。
【０３０１】
ステップＳ６１２において、表示部５２０は、表示情報を受信し、表示する。例えば、表示部５２０は、洗濯機２００Ａに備えられている場合、ステップＳ６１２において、制御部２２０は、受信した表示情報を、表示部５２０に表示させる。
【０３０２】
図７は、本実施の形態２に係る付着物質検出方法の成分情報の一例を示す説明図である。上記のとおり、製造されたすべての洗濯機２００Ａは、それぞれユニークなＩＤを持ち、そのＩＤごとに、情報蓄積部５１１にエントリが作成される。エントリには、当該洗濯機２００Ａで検出された物質の量（Ａ，Ｂ等）が洗濯した日付ごとに記録されている。図７では、一例として、花粉の抗原が検出された場合を示している。
【０３０３】
このような成分情報から作成される表示情報について説明する。
【０３０４】
図８は、本実施の形態に係る付着物質検出方法での表示画像の一例を示す説明図である。図８に示される表示画像は、表示部５２０で表示されるものである。図８では、洗濯した日付ごとの、衣類に付着した花粉抗原の量の推移が、グラフ８０１として表現されている。グラフ８０１により、利用者は、自分のアレルギーの原因である花粉抗原が、増加傾向なのか減少傾向なのか把握することができ、花粉症対策を実施することで、健康増進に役立てることができる。
【０３０５】
ところで、市販されている簡易な花粉センサは、花粉状の粒子を光学センサで検出するものである。そのため、上記花粉センサでは、本当の花粉であるかを判定することは困難である上、そもそも、花粉症の原因となる物質そのものを検出するものではない。
【０３０６】
利用者が本当に欲するものは、自分のアレルギーの原因物質に関しての情報である。この情報は、スギ又はヒノキなどの花粉の種類によって異なるので、この情報を得るためには本来であれば花粉内の抗原を抽出し成分を分析する必要がある。しかし、花粉から抗原を抽出するためには水分が必要であり、また、装置が大掛かりになることから、家庭で花粉抗原を検出するには大きな困難が伴う。
【０３０７】
本実施の形態における洗濯機２００Ａは、洗濯という洗濯機本来の動作をするために水を利用する。そこで、洗濯機に花粉の抗原を検出する装置を組み込むことで、利用者が本当に欲していた抗原に関する情報を生成し、利用者に閲覧させることができるという利点がある。
【０３０８】
本実施の形態では、花粉抗原検出の効果をより高めるために、クラウドサーバ５１０の情報蓄積部５１１に成分情報を蓄積し、その量の推移を表示できる構成としたが、この構成に限定されるものではない。例えば、実施の形態１の構成に花粉抗原の検出を組み込むこともできる。その場合、情報蓄積部５１１がないので、花粉抗原の時間的推移を表示することはできないが、洗濯のたびに、検出した抗原の量を提示し、利用者の健康増進に役立てることもできる。
【０３０９】
または、例えば、実施の形態１で説明をした洗濯機２００が情報蓄積部５１１、情報集計部５１２を含む構成とすれば、花粉抗原の時間的推移を表示することもできる。
【０３１０】
本実施の形態では、洗濯機ＩＤによって指定された洗濯機２００Ａごとに、表示部５２０が花粉抗原の量の推移を表示するものとしたが、その代わりに、市又は町などの特定の地域ごとに、複数の洗濯機２００Ａで検出された花粉抗原の量を集計し、その量の推移を表示するようにしてもよい。このようにすれば、利用者が利用する洗濯機２００Ａでは検出しきれなかった花粉抗原の情報を、ほかの家庭の洗濯機２００Ａを利用することで、補完することができるので、付着物質検出システムは、より詳細な花粉情報を得ることができる。
【０３１１】
また、表示部５２０は、全国の地域ごとの花粉抗原の情報を表示するようにしてもよい。この構成では、地域ごとの花粉抗原の量の大小を比較することができるので、利用者が、自分のアレルギーの原因となる抗原が多い地域には旅行を控えるなどの対策を実施することができ、健康増進に役立てることができる。
【０３１２】
上記の構成では、付着物質検出システムは、洗濯機ＩＤのエントリごとに、その洗濯機がどの地域で利用されているかという位置情報を持つ。位置情報は、郵便番号であってもよく、郵便番号を洗濯機２００Ａに登録し、成分情報とともに、クラウドサーバ５１０に送信するものであってもよい。また、表示部５２０を備える装置に内蔵されたＧＰＳからの情報を、洗濯機ＩＤと共に、クラウドサーバ５１０に送信するものであってもよい。また、洗濯機２００Ａ以外の、図４におけるグループ２１００内の機器２１０１に登録された位置情報を送信するものであってもよく、例えばテレビでオンデマンドサービスを受けるために登録した郵便番号であってもよい。
【０３１３】
以上のように、本実施の形態に係る洗濯機によれば、洗濯機は、検出部による検出結果を適切に表示部に表示し、利用者に提示することができる。
【０３１４】
また、洗濯機は、複数回の洗濯により得られる検出結果の時間的変化を表示する。利用者は、洗濯機による表示を閲覧することで、所定物質が時間的にどのように増減したかを知ることができる。これにより、利用者は、所定物質の時間的変化に対応した行動をとることができる。
【０３１５】
（実施の形態３）
これまで説明してきた実施の形態の構成によれば、成分情報は、洗濯機単位で集計される。本実施の形態では、衣類を着用していた個人ごとに成分情報を集計することで、より一層体調管理、健康増進に役立つ付着物質検出システムについて説明する。
【０３１６】
［詳細構成］
図９は、実施の形態３における付着物質検出システム１１の詳細構成を示すブロック図である。なお、図９において、既に説明した構成要素は同じ図番を持っているので、説明を割愛する。
【０３１７】
洗濯機２００Ｂは、洗濯部２０１と、検出部２１０と、制御部２２０（図示せず）と、送信部５０１と、個人特定部９０１とを備える。洗濯機２００Ｂが、実施の形態２における洗濯機２００Ａと異なる点は、個人特定部９０１を備える点である。
【０３１８】
個人特定部９０１は、洗濯機２００Ｂに投入した衣類を着用していた個人を特定する処理部である。個人特定部９０１は、情報を表示し、また、利用者からの操作を受け付けるタッチパネルを有する。
【０３１９】
情報蓄積部５１１は、個人特定部９０１が特定した個人を示す個人ＩＤと関連付けて、情報を蓄積する。
【０３２０】
表示部５２０は、利用者により指定される個人ＩＤである指定個人ＩＤを受け付け、受け付けた指定個人ＩＤに関連付けられた情報を情報蓄積部５１１から読み出し、読み出した情報のそれぞれを、当該情報が出力された時刻に対応付けて表示する。
【０３２１】
図１０Ａは、本実施の形態に係る付着物質検出システムを構成する洗濯機２００Ｂの概観図である。図１０Ｂは、本実施の形態に係る付着物質検出システムを構成する洗濯機２００Ｂの表示画像の一例を示す説明図である。
【０３２２】
図１０Ｂに示される表示画像は、図１０Ａに示される洗濯機２００Ｂの個人特定部９０１のタッチパネル１００１を有するディスプレイに表示される表示画像の一例である。
【０３２３】
図１０Ｂに示されるように、タッチパネル１００１は、衣類を着用していた個人を特定するため、あらかじめ登録された、家族を選択するボタンを有する表示画像を表示する。具体的には、表示画像は、例えば、家族のうちの「お父さん」、「お母さん」、「たろう」及び「はなこ」のそれぞれを選択するボタンを有する。利用者は、表示画像内のボタンをタッチすることで、個人を特定する。なお、複数のボタンをタッチすることで、複数を選択することも可能である。
【０３２４】
なお、表示部５２０が端末装置にタッチパネルとして搭載される場合、タッチパネル１００１は、端末装置のタッチパネルとして実装されてもよい。
【０３２５】
［衣類付着物質検出方法］
以上のように構成された本実施の形態における付着物質検出システムの具体的動作（付着物質検出方法）を説明する。
【０３２６】
図１１は、本実施の形態に係る付着物質検出方法のシーケンス図である。
【０３２７】
ステップＳ６０１において、洗濯機２００Ｂは、洗濯を繰り返し行う。
【０３２８】
ステップＳ１２０１において、洗濯の開始の際に、個人特定部９０１により、衣類を着用していた個人を特定し、個人ごとにユニークなようにあらかじめ登録された個人ＩＤを生成する。
【０３２９】
ステップＳ６０２において、検出部２１０は、洗濯の際に、実施の形態１で説明した、衣類に付着した物質の成分検出を行う。そして、検出部２１０は、検出結果に対応する衣類から分離した所定物質の成分情報を送信部５０１に出力する。
【０３３０】
ステップＳ１２０２において、制御部２２０は、送信部５０１に、成分情報を、すべての洗濯機２００ＢごとにユニークなＩＤである洗濯機ＩＤおよび個人ＩＤと共に、クラウドサーバ５１０へ発信させる。
【０３３１】
ステップＳ１２０３において、クラウドサーバ５１０は、洗濯機ＩＤと個人ＩＤと成分情報を受信し、情報蓄積部５１１に、受信した洗濯機ＩＤと個人ＩＤのエントリが存在するか否かを判定する。エントリが存在しなかった場合（ステップＳ１２０３で「Ｎ」）は、ステップＳ１２０４に進む。一方、エントリが存在した場合（ステップＳ１２０３で「Ｙ」）は、ステップＳ１２０５に進む。
【０３３２】
ステップＳ１２０４において、情報集計部５１２は、新たに受信した洗濯機ＩＤと個人ＩＤのエントリを作成する。
【０３３３】
ステップＳ１２０５において、受信した洗濯機ＩＤと個人ＩＤのエントリに、受信した成分情報を記録する。ステップＳ１２０５は、洗濯機２００Ｂの洗濯の度に繰り返される。
【０３３４】
ステップＳ１２０６において、表示部５２０は、表示要求を洗濯機ＩＤと個人ＩＤと共に発信する。
【０３３５】
ステップＳ１２０７において、クラウドサーバ５１０は、洗濯機ＩＤと個人ＩＤと表示要求を受信すると、指定された洗濯機ＩＤと個人ＩＤのエントリが情報蓄積部５１１に存在するか否かを判定する。エントリが存在しなかった場合（ステップＳ１２０７で「Ｎ」）は、ステップＳ６０９に進む。一方、エントリが存在した場合（ステップＳ１２０７で「Ｙ」）は、ステップＳ６１０に進む。
【０３３６】
ステップＳ６０９において、情報集計部５１２は、エントリが存在しない旨の表示情報を作成する。
【０３３７】
ステップＳ６１０において、情報集計部５１２は、複数の成分情報を読み出し、時系列の変化を分析し、表示情報を作成する。
【０３３８】
ステップＳ６１１において、送受信部５１３は、表示要求をリクエストした表示部５２０へ向けて発信する。
【０３３９】
ステップＳ６１２において、表示部５２０は、表示情報を受信し、表示する。例えば、表示部５２０は、洗濯機２００Ｂに備えられている場合、ステップＳ６１２において、制御部２２０は、受信した表示情報を、表示部５２０に表示させる。
【０３４０】
図１２は、衣類に付着した物質と、当該物質から推測される疾病との関係の一例を示す説明図である。
【０３４１】
例えば、アセトンは、代謝異常を起こすと、多く人体から発生される物質であることが知られている。そのため、アセトンが衣類に付着していた場合、当該衣類を着用していた人が糖尿病、肥満、誤ったダイエットをしている状態にあると推測される。
【０３４２】
図１３は、実施の形態３に係る付着物質検出方法の成分情報の一例を示す図である。情報蓄積部５１１は、洗濯機ＩＤ、および個人ＩＤごとにエントリを作成する。エントリは、洗濯した日付ごとに、洗濯機２００Ｂで検出された、物質の量（Ａ，Ｂ等）が記録されている。図１３では、図１２で示した、人体から発生される物質の例を記載している。
【０３４３】
このような成分情報から作成され、表示部５２０で表示された表示情報の例を、図１４に示す。
【０３４４】
図１４は、本実施の形態に係る付着物質検出方法の表示部の一例を示す図である。本例では、洗濯した日付ごとの、衣類に付着した人体から発生した物質の量の推移が、グラフ１４０１として表現されている。また、量の推移から予測される疾病の可能性をコメント１４０２として表示されている。
【０３４５】
コメント１４０２は、アセトンの量が急激に上昇したので、無理なダイエットで飢餓状態にある可能性があることを、利用者に警告している。また、グラフ１４０１は、利用者が自分の体調の変化や疾病の可能性を把握し、利用者の健康増進に役立てることができる。
【０３４６】
本実施の形態では、個人の体調管理の効果をより高めるために、個人を特定する個人特定部９０１を持つものとしたが、この構成に限定されるものではない。一人暮らしの家庭や個人ごとに個別の洗濯機２００Ｂを利用するような家庭では、個人特定部９０１は必要ない。また、家族全員で洗濯機２００Ｂを利用するような場合でも、ある疾病に特有の物質を検出することで、家族の中で誰かが疾病している可能性を警告することで、個人特定部９０１が存在しなくても、健康増進に役立てることができる。
【０３４７】
本実施の形態では、個人特定部９０１は、洗濯の度に、個人を特定するボタンにタッチするものとしたが、この構成に限定されるものではない。個人特定部９０１は、一回目の洗濯では個人を特定し、２回目以降の洗濯では、検出した人体由来の複数の物質の量の組み合わせを、過去に保存された個人ごとの成分情報と比較し、もっとも類似度が高い物質の量の組み合わせを持つ個人を、今回洗濯した衣類の着用者であると決定してもよい。また、その場合、個人特定部９０１が決定した個人が正しいかどうか、利用者に確認する表示を行ってもよい。さらに、類似度に閾値を設け、どの個人ごとの成分情報と比較しても、類似度が閾値よりも低かった場合、個人特定が失敗したものとして、個人特定部９０１は、個人の特定を要求する表示を利用者に提示してもよい。
【０３４８】
本実施の形態では、情報蓄積部５１１に保存する成分情報は、個人ＩＤと洗濯機ＩＤとの組み合わせを持つエントリに作成するものとしたが、この構成に限定されるものではない。洗濯機ＩＤを保存せず、個人ＩＤにのみ結びつけられたエントリであってもよい。その場合、個人ＩＤは、個人ごとに完全にユニークなものとする。この構成では、異なる洗濯機２００Ｂで成分検出を行ったとしても、衣類を着用した個人ごとに物質を集計できる。例えば自宅の洗濯機と、出張先の洗濯機とで洗濯した場合でも、個人ごとに物質の量が保存できるので、洗濯の場所を問わず、体調管理に役立てることができる。
【０３４９】
本実施の形態では、成分検出を行う衣類の量については特に限定していないが、検出された物質の量の推移をより正確に記録するためには、検出対象の衣類の量は、常に同じであるのが望ましい。また、その衣類の着用時間も、常に同じであるのが望ましい。例えば、洗濯機２００Ｂは、毎朝一回、先日一日着用した下着一枚について、常に成分検出するのが理想的である。成分分析の準備が終わったら（図２のステップＳ３０８を参照）、残りの洗濯物を投入すればよい。また、そのような衣類の投入（最初に下着一枚、検出準備が終わり洗濯開始前に他の衣類を投入）を行うように利用者に促すガイドを、洗濯機２００Ｂに設置されたディスプレイに表示すれば一層効果的である。
【０３５０】
また、通常とは異なる量の衣類を投入し成分検出を行ったときに、通常の下着一枚分に物質の量を正規化するために、投入した衣類の量を利用者に申告してもらうようなユーザーインターフェイスを持ってもよい。さらに、衣類の量を利用者に申告してもらう代わりに、検出前にパルセータ２０３を回転（図２のＳ３０３）させたときにモータ２０４にかかる負荷を測定し、衣類の量を推定し、推定した量により上記正規化を行ってもよい。
【０３５１】
本実施の形態では、家庭の洗濯機２００Ｂにおいて、衣類に付着した人体由来の物質を検出し、健康増進に役立てるものとしたが、このような構成に限定されるものではない。クリーニング店において、顧客の衣類を預かり洗濯する際に人体由来の物質の検出を行い、顧客に図１４のグラフ１４０１を提示することで、顧客の健康増進を促すものであってもよい。その場合、クリーニング店は、物質の量の時間的推移を顧客に提示するため、顧客の衣類に付着していた物質に関するデータを長期的に保存する。そのため、顧客にとっては、上記の健康増進サービスを継続的に受けるため、他のクリーニング店を利用しづらくなる。なぜなら、自分の物質に関する過去データがないからである。このことは、クリーニング店にとって、長期的な顧客を確保できるという点で、非常に有効なサービスとなる。もちろん、チェーン展開しているクリーニング店においては、チェーン全体で顧客の物質データを管理し、顧客が、同一チェーンの他店舗を利用しても、これまでの過去データが参照できるようにしてもよい。この構成では、顧客がもし引越しをしても、引越し先の町で、同一チェーンのクリーニング店を選択せざるを得なくなり、チェーンの事業主にとって非常に有効なサービスとなる。さらに、クリーニング店で検出した成分情報と、その顧客の家庭の洗濯機２００Ｂで検出した成分情報とを、足し合わせて表示するようにしてもよい。この場合、クリーニング店を利用したときも、家庭の洗濯機２００Ｂを利用したときも、常に物質を検出でき、より一層詳細な体調の変化を知ることができる。
【０３５２】
クリーニング店は、一般消費者向けの店舗だけではなく、企業向けのものであってもよい。例えば従業員の作業服をクリーニングするような設備であってもよい。その場合、クリーニングを通じて、企業は、従業員の健康状態を把握することができる。また、作業服に付着した物質を検出することで、労働環境に危険が発生していないか、把握することができる。
【０３５３】
本実施の形態では、コンピュータで構成されるクラウドサーバ５１０の情報集計部５１２が、図１４のグラフ１４０１とコメント１４０２とを生成するものとしたが、そのような構成に限定されるものではない。例えば、情報集計部５１２は、物質の量の推移の異常（変化量とあらかじめ決められた閾値とを比較し、閾値を越える急激な変化があった場合など）を検知し、異常があった場合には、医療機関に情報を送信し、医師の判断を仰ぐ、という構成にしてもよい。その場合、利用者は、コンピュータが生成するよりも的確な健康増進のためのアドバイスを得ることができる。また、健康保険の被保険者の成分情報は、健康保険を提供する保険会社が閲覧可能になるように構成してもよい。保険会社は、成分情報によって顧客の健康状態を把握し、異常がなければ健康保険の保険料を減額するという施策を取る。これにより、保険会社は保険のリスクを低減でき、顧客は保険料が安くなるという、双方にとって好ましい効果を生む。
【０３５４】
本実施の形態では、個人ごとに、その個人から発生した物質の量の推移を提示するものとしたが、このような構成に限定されるものではない。市や町など、ある地域ごとに、複数の個人の人体由来の物質の量を集計し、その量の推移を表示するようにしてもよい。この構成では、地域ごとの体調の特徴を確認することができるので、地域に向けた健康増進の施策を立案しやすくなるという効果を生む。例えば、ある地域における人体由来のアセトンの量が、全国平均よりも高かった場合は、その地域の郷土料理のカロリーが高すぎて肥満気味の人が多いことを示しているかもしれない。その場合、郷土料理の摂取を控えるような施策を取ることができるし、また、その施策の効果を定量的に確認するために、本実施の形態における付着物質検出方法は、非常に有効な手法となる。
【０３５５】
以上のように、本実施の形態に係る洗濯機は、検出部による検出結果を適切に表示部に表示し、利用者に提示することができる。
【０３５６】
また、洗濯機は、指定される個人についての所定物質の検出結果の時間的変化を表示する。これにより、利用者は、より詳細に、指定される個人についての情報を知ることができる。なお、指定される個人は、利用者自身であってもよいし、別人であってもよい。
【０３５７】
また、洗濯機は、指定される個人についての検出結果の時間的変化に基づいて、当該個人の体調の変化を示し、例えば体調が悪化している場合には注意を示す情報を表示する。利用者は、この情報に基づいて食事又は運動等の健康管理のための行動をとることができる。
【０３５８】
（実施の形態４）
上記したすべての実施の形態において説明された技術は、例えば、以下のクラウドサービスの類型において実現されうる。しかし、上記態様において説明された技術が実現される類型はこれに限られるものでない。
【０３５９】
（サービスの類型１：自社データセンター型）
図１５は、サービスの類型１（自社データセンタ型）を示す。本類型は、サービスプロバイダー２１２０がグループ２１００から情報を取得し、ユーザに対してサービスを提供する類型である。本類型では、サービスプロバイダー２１２０が、データセンター運営会社の機能を有している。即ち、サービスプロバイダーが、ビッグデータの管理をするクラウドサーバ２１１１を保有している。従って、データセンター運営会社は存在しない。
【０３６０】
本類型では、サービスプロバイダー２１２０は、データセンター２２０３（クラウドサーバ２１１１）を運営、管理している。また、サービスプロバイダー２１２０は、ＯＳ２２０２及びアプリケーション２２０１を管理する。サービスプロバイダー２１２０は、サービスプロバイダー２１２０が管理するＯＳ２２０２及びアプリケーション２２０１を用いてサービス提供２２０４を行う。
【０３６１】
（サービスの類型２：ＩａａＳ利用型）
図１６は、サービスの類型２（ＩａａＳ利用型）を示す。ここでＩａａＳとはインフラストラクチャー・アズ・ア・サービスの略であり、コンピュータシステムを構築および稼動させるための基盤そのものを、インターネット経由のサービスとして提供するクラウドサービス提供モデルである。
【０３６２】
本類型では、データセンター運営会社２１１０がデータセンター２２０３（クラウドサーバ２１１１）を運営、管理している。また、サービスプロバイダー２１２０は、ＯＳ２２０２及びアプリケーション２２０１を管理する。サービスプロバイダー２１２０は、サービスプロバイダー２１２０が管理するＯＳ２２０２及びアプリケーション２２０１を用いてサービス提供２２０４を行う。
【０３６３】
（サービスの類型３：ＰａａＳ利用型）
図１７は、サービスの類型３（ＰａａＳ利用型）を示す。ここでＰａａＳとはプラットフォーム・アズ・ア・サービスの略であり、ソフトウェアを構築および稼動させるための土台となるプラットフォームを、インターネット経由のサービスとして提供するクラウドサービス提供モデルである。
【０３６４】
本類型では、データセンター運営会社２１１０は、ＯＳ２２０２を管理し、データセンター２２０３（クラウドサーバ２１１１）を運営、管理している。また、サービスプロバイダー２１２０は、アプリケーション２２０１を管理する。サービスプロバイダー２１２０は、データセンター運営会社２１１０が管理するＯＳ２２０２及びサービスプロバイダー２１２０が管理するアプリケーション２２０１を用いてサービス提供２２０４を行う。
【０３６５】
（サービスの類型４：ＳａａＳ利用型）
図１８は、サービスの類型４（ＳａａＳ利用型）を示す。ここでＳａａＳとはソフトウェア・アズ・ア・サービスの略である。例えばデータセンタ（クラウドサーバ）を保有しているプラットフォーム提供者が提供するアプリケーションを、データセンタ（クラウドサーバ）を保有していない会社・個人（利用者）がインターネットなどのネットワーク経由で使用できる機能を有するクラウドサービス提供モデルである。
【０３６６】
本類型では、データセンター運営会社２１１０は、アプリケーション２２０１を管理し、ＯＳ２２０２を管理し、データセンター２２０３（クラウドサーバ２１１１）を運営、管理している。また、サービスプロバイダー２１２０は、データセンター運営会社２１１０が管理するＯＳ２２０２及びアプリケーション２２０１を用いてサービス提供２２０４を行う。
【０３６７】
以上いずれの類型においても、サービスプロバイダー２１２０がサービス提供行為を行ったものとする。また例えば、サービスプロバイダー２１２０若しくはデータセンター運営会社２１１０は、ＯＳ、アプリケーション若しくはビッグデータのデータベース等を自ら開発してもよいし、また、第三者に外注させてもよい。
【０３６８】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の洗濯機及び付着物質検出方法などを実現するソフトウェアは、次のようなプログラムである。
【０３６９】
すなわち、このプログラムは、コンピュータに、衣類の洗濯を行う洗濯機であって、衣類及び水が投入される洗濯槽を含む洗濯機を備える付着物質検出システムにおける付着物質検出方法であって、前記水の一部を前記洗濯槽から分離し、分離した前記水の一部を保持する保持ステップと、前記保持ステップで保持している前記水の一部に含まれる所定物質の検出を行い、検出結果を示す情報を出力する検出ステップと、前記洗濯機による洗濯のための洗剤の前記洗濯槽への投入、又は、利用者に対する前記投入の指示を、前記保持ステップで前記水の一部を分離した後に行う洗剤投入ステップとを含む付着物質検出方法を実行させる。
【０３７０】
以上、一つまたは複数の態様に係る洗濯機などについて、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【０３７１】
本開示は、洗濯機および洗濯サービスの有用性をさらに高め、医療および保険分野に有用な効果をもたらし、利用者の健康増進に寄与するものである。
【符号の説明】
【０３７２】
１０、１１    付着物質検出システム
２００、２００Ａ、２００Ｂ    洗濯機
２０１、１９０１    洗濯部
２０２    洗濯槽
２０３    パルセータ
２０４    モータ
２０５    衣類
２０６    洗剤
２０８    水道
２１０、１９０２    検出部
２１１    液体クロマトグラフ
２１２    タンク
２１３    保持部
２１４    ポンプ
２１５    カラム
２１６    検出器
２１７    水路
２２０    制御部
４０１    窓
５０１    送信部
５１０、２１１１    クラウドサーバ
５１１    情報蓄積部
５１２    情報集計部
５１３    送受信部
５２０    表示部
９０１    個人特定部
２０１０、２０２０    ユーザ
２１００    グループ
２１０１    機器
２１０２    ホームゲートウェイ
２１１０    データセンター運営会社
２１２０    サービスプロバイダー
２１２１    サーバ
２２０１    アプリケーション
２２０２    ＯＳ
２２０３    データセンター
Ｖ１、Ｖ２、Ｖ３、Ｖ４、Ｖ５    バルブ 
【図１】
0006593698.tif 000002
【図２】
0006593698.tif 000003
【図３】
0006593698.tif 000004
【図４】
0006593698.tif 000005
【図５】
0006593698.tif 000006
【図６】
0006593698.tif 000007
【図７】
0006593698.tif 000008
【図８】
0006593698.tif 000009
【図９】
0006593698.tif 000010
【図１０Ａ】
0006593698.tif 000011
【図１０Ｂ】
0006593698.tif 000012
【図１１】
0006593698.tif 000013
【図１２】
0006593698.tif 000014
【図１３】
0006593698.tif 000015
【図１４】
0006593698.tif 000016
【図１５】
0006593698.tif 000017
【図１６】
0006593698.tif 000018
【図１７】
0006593698.tif 000019
【図１８】
0006593698.tif 000020
【図１９】
0006593698.tif 000021